(57)【要約】  サーバ上でモバイルハンドセットからのセルラー電話プロビジョニング情報と個人データとをバックアップする機能を提供するためのシステムおよび方法。ユーザは、認証証明を用いてサービスプロバイダとのアカウントを初期設定し、モバイルハンドセット内に記憶されたプロビジョニング情報と個人データとを、安全に保存するためにサーバにバックアップする。プロビジョニングおよび個人データがモバイルハンドセット間で転送されることができるように、プロビジョニング情報と個人データとはセルラー電話ネットワークを介してアクセスされることができる。これは、ユーザに、モバイルハンドセットが取り替えられた場合、遺失された場合または破壊された場合、個人データを迅速および容易に復元すること許す。本システムおよび方法は、新たなモバイルハンドセットをリモートでプロビジョニングする機能をさらに提供する。
2011509575.tif 000002
【特許請求の範囲】
【請求項１】
モバイルハンドセットをプロビジョニングするための方法であって、
前記モバイルハンドセットのプロビジョニング情報を中央データベースに記憶することと、
前記モバイルハンドセットのユーザからセルラー電話ネットワークを介してアカウント名と認証証明とを受信することと、
セルラー電話ネットワークを使用して前記モバイルハンドセットプロビジョニング情報を前記モバイルハンドセットにダウンロードすることと、
を備える方法。
【請求項２】
前記ハンドセットプロビジョニング情報を前記モバイルハンドセットにダウンロードするより前に、前記受信されたアカウント名と認証証明とに基づいて前記ユーザを認証することをさらに備える、請求項１に記載の方法。
【請求項３】
前記認証証明は、英数字パスワードを備える、請求項１に記載の方法。
【請求項４】
前記認証証明は、生体情報を備える、請求項１に記載の方法。
【請求項５】
さらに、前記認証証明は、英数字パスワードをも備える、請求項４に記載の方法。
【請求項６】
前記認証証明は、指紋スキャナによって生成された指紋情報を備える、請求項１に記載の方法。
【請求項７】
前記認証証明は、前記ユーザの網膜をスキャンすることが可能なカメラによって生成された網膜スキャンを備える、請求項１に記載の方法。
【請求項８】
前記認証証明は、顔認識を実行することが可能なカメラによって生成された前記ユーザの顔の特徴の画像を備える、請求項１に記載の方法。
【請求項９】
前記認証証明は、デジタルペンおよびパッドによって生成された筆跡サンプルを備える、請求項１に記載の方法。
【請求項１０】
前記認証証明は、３次元スキャニングセンサによって生成された前記ユーザの耳道の形状および深さの３次元スキャンを備える、請求項１に記載の方法。
【請求項１１】
前記認証証明は、声紋比較に適した発話フレーズを備える、請求項１に記載の方法。
【請求項１２】
前記ハンドセットプロビジョニング情報は、前記モバイルハンドセットが電源投入されるたびに前記モバイルハンドセットに自動的にダウンロードされる、請求項１に記載の方法。
【請求項１３】
前記モバイルハンドセットの前記ユーザの個人データを前記中央データベースに記憶することと、
前記セルラー電話ネットワークを使用して前記ユーザの個人データを前記モバイルハンドセットにダウンロードすることと、
をさらに備える、請求項１に記載の方法。
【請求項１４】
前記中央データベースは、サーバに結合されたＶＳＩＭデータベースであり、前記サーバは、前記セルラー電話ネットワークを介してデータを受信および送信するように構成される、請求項１に記載の方法。
【請求項１５】
前記ユーザを認証することは、認証サーバによって達成される、請求項２に記載の方法。
【請求項１６】
プロビジョニング情報を含んでいる少なくとも１つのオペレータプロビジョニングセンタにアクセスすることをさらに備える、請求項１に記載の方法。
【請求項１７】
前記中央データベースは、複数のセルラー電話サービスプロバイダのプロビジョニング情報を含んでいる、請求項１に記載の方法。
【請求項１８】
複数のサービスプロバイダの選択肢から１つのサービスプロバイダを選択するように前記ユーザに要求することをさらに備える、請求項１に記載の方法。
【請求項１９】
前記モバイルハンドセットプロビジョニング情報をダウンロードすることは、プロビジョニング情報を前記選択されたサービスプロバイダから前記モバイルハンドセットにダウンロードする、請求項１２に記載の方法。
【請求項２０】
ユーザのモバイルハンドセットにおいて使用するための個人データを復元するための方法であって、
認証証明を前記モバイルハンドセットに入力するように前記ユーザに要求することと、
セルラー電話ネットワークを介して認証サーバにおいて前記入力された認証証明を受信することと、
前記入力された認証証明が認証データベースに以前に記憶された認証証明と一致した場合、前記ユーザを認証することと、
前記ユーザが認証された場合、ＶＳＩＭデータベースに以前に記憶された個人データへのアクセスを許可することと、
前記モバイルハンドセットの内部メモリに記憶するために個人データを前記ユーザのモバイルハンドセットに送信することと、
を備える方法。
【請求項２１】
モバイルハンドセットプロビジョニング情報をモバイルハンドセットによってアクセス可能なサーバに記憶することと、
前記セルラー電話ネットワークを使用して前記ハンドセットプロビジョニング情報を前記モバイルハンドセットにダウンロードすることと、
をさらに備える、請求項２０に記載の方法。
【請求項２２】
前記ユーザは、プロビジョニング情報と個人データとをダウンロードするより前に認証される、請求項２１に記載の方法。
【請求項２３】
認証証明を入力するように前記ユーザに要求することは、生体データを生成する行為を実行するように前記ユーザに要求することを備える、請求項２０に記載の方法。
【請求項２４】
認証証明を入力するように前記ユーザに要求することは、英数字パスワードを入力するように前記ユーザに要求することを備える、請求項２０に記載の方法。
【請求項２５】
さらに、認証証明を入力するように前記ユーザに要求することは、英数字パスワードを入力するように前記ユーザに要求することをさらに備える、請求項２３に記載の方法。
【請求項２６】
前記行為は、前記ユーザに指紋センサ上で指を走査させることを必要とする、請求項２３に記載の方法。
【請求項２７】
さらに、前記行為は、前記ユーザに音声認識サンプルを記録することを必要とする、請求項２３に記載の方法。
【請求項２８】
さらに、前記行為は、前記ユーザに網膜スキャンを与えることを必要とする、請求項２３に記載の方法。
【請求項２９】
さらに、前記行為は、前記ユーザに顔の画像を与えることを必要とする、請求項２３に記載の方法。
【請求項３０】
さらに、前記行為は、前記ユーザに筆跡サンプルを与えることを必要とする、請求項２３に記載の方法。
【請求項３１】
さらに、前記行為は、前記ユーザの耳道のスキャンである、請求項２３に記載の方法。
【請求項３２】
前記ユーザの個人データは、前記モバイルハンドセットが電源投入されるたびに自動的に送信される、請求項２０に記載の方法。
【請求項３３】
前記ユーザの個人データは、予め設定された間隔で自動的に送信される、請求項２０に記載の方法。
【請求項３４】
ユーザのモバイルハンドセットにおいて使用するための個人データを保管するための方法であって、
認証証明を前記モバイルハンドセットに入力するように前記ユーザに要求することと、
セルラー電話ネットワークを介して認証サーバにおいて前記入力された認証証明を受信することと、
前記入力された認証証明が認証データベースに以前に記憶された認証証明と一致した場合、前記ユーザを認証することと、
前記ユーザが認証された場合、ＶＳＩＭデータベースに記憶された個人データを変更するためのアクセスを前記ユーザに許可することと、
前記ユーザのモバイルハンドセットから前記セルラー電話ネットワークを介して個人データを受信することと、
前記受信した個人データをＶＳＩＭデータベースに記憶することと、
を備える方法。
【請求項３５】
前記ユーザを認証することは、認証サーバによって実行される、請求項３４に記載の方法。
【請求項３６】
認証証明を入力するように前記ユーザに要求することは、生体データを生成する行為を実行するように前記ユーザに要求することを備える、請求項３４に記載の方法。
【請求項３７】
認証証明を入力するように前記ユーザに要求することは、英数字パスワードを入力するように前記ユーザに要求することを備える、請求項３４に記載の方法。
【請求項３８】
認証証明を入力するように前記ユーザに要求することは、英数字パスワードを入力するように前記ユーザに要求することをさらに備える、請求項３４に記載の方法。
【請求項３９】
前記行為は、前記ユーザに指紋センサ上で指を走査させることを必要とする、請求項３６に記載の方法。
【請求項４０】
さらに、前記行為は、ユーザに音声認識サンプルを記録することを必要とする、請求項３６に記載の方法。
【請求項４１】
さらに、前記行為は、ユーザに網膜スキャンを与えることを必要とする、請求項３６に記載の方法。
【請求項４２】
さらに、前記行為は、前記ユーザに顔の画像を与えることを必要とする、請求項３６に記載の方法。
【請求項４３】
さらに、前記行為は、前記ユーザに筆跡サンプルを与えることを必要とする、請求項３６に記載の方法。
【請求項４４】
さらに、前記行為は、前記ユーザに前記ユーザの耳道のスキャンを与えることを必要とする、請求項３６に記載の方法。
【請求項４５】
前記ユーザの個人データは、前記ユーザが前記モバイルハンドセットの前記内部メモリに記憶された前記個人データを変更するたびに、前記ＶＳＩＭデータベースに自動的に記憶される、請求項３４に記載の方法。
【請求項４６】
前記ユーザの個人データは、前記モバイルハンドセットが電源投入されるたびに自動的に保管される、請求項３４に記載の方法。
【請求項４７】
前記ユーザの個人データは、予め設定された間隔で自動的に保管される、請求項３４に記載の方法。
【請求項４８】
ユーザのモバイルハンドセットにおいて使用するための個人データを転送し保管するためのシステムであって、
認証証明を前記モバイルハンドセットに入力するように前記ユーザに要求するための手段と、
前記入力された認証証明をセルラー電話ネットワークを介して受信するための手段と、
前記入力された認証証明が認証データベースに以前に記憶された認証証明と一致した場合、前記ユーザを認証するための手段と、
前記ユーザが認証された場合、ＶＳＩＭデータベースに以前に記憶された個人データへのアクセスを許可するための手段と、
前記ユーザのモバイルハンドセットから前記セルラー電話ネットワークを介して個人データを受信するための手段と、
前記受信した個人データを前記ＶＳＩＭデータベースに記憶するための手段と、
前記ＶＳＩＭデータベースに記憶された個人データを前記セルラー電話ネットワークを介して前記ユーザのモバイルハンドセットの内部メモリに転送するための手段と、
を備えるシステム。
【請求項４９】
前記モバイルハンドセットのプロビジョニング情報を記憶するための手段をさらに備える、請求項４８に記載のシステム。
【請求項５０】
プロビジョニングデータを記憶するための前記手段は、個人データを転送するための前記手段と通信しているプロビジョニングデータベースである、請求項４９に記載のシステム。
【請求項５１】
前記ユーザを認証するための前記手段は、前記モバイルハンドセットの外部の認証サーバである、請求項４８に記載のシステム。
【請求項５２】
生体データを記録するための手段をさらに備える、請求項４８に記載のシステム。
【請求項５３】
生体データを記録するための前記手段は、前記モバイルハンドセットの外部の認証サーバである、請求項５２に記載のシステム。
【請求項５４】
個人データをユーザのモバイルハンドセットに復元するためのコンピュータ実行可能命令を記憶したコンピュータ可読媒体であって、前記コンピュータ実行可能命令は、サーバに、
認証証明を前記モバイルハンドセットに入力するように前記ユーザに要求するステップと、
前記入力された認証証明をセルラー電話ネットワークを介して受信し、前記入力された認証証明を認証サーバにおいて与えるステップと、
前記ユーザが前記認証サーバによって認証された場合、ＶＳＩＭデータベースに以前に記憶された個人データへのアクセスを許可するステップと、
前記モバイルハンドセットの内部メモリに記憶するために、個人データを、前記セルラー電話ネットワークを介して前記ユーザのモバイルハンドセットに送信するステップと、
を実行させるように構成される、コンピュータ可読媒体。
【請求項５５】
前記コンピュータ実行可能命令は、前記サーバに、
モバイルハンドセットプロビジョニング情報を記憶させ、
前記セルラー電話ネットワークを使用して前記ハンドセットプロビジョニング情報を前記モバイルハンドセットにダウンロードさせる、
命令をさらに備える、請求項５４に記載のコンピュータ可読媒体。
【請求項５６】
前記コンピュータ実行可能命令は、前記サーバに、生体データを生成する行為を実行するように前記ユーザに要求させる命令をさらに備える、請求項５４に記載のコンピュータ可読媒体。
【請求項５７】
前記コンピュータ実行可能命令は、前記サーバに、英数字パスワードを入力するように前記ユーザに要求させる命令をさらに備える、請求項５４に記載のコンピュータ可読媒体。
【請求項５８】
前記コンピュータ実行可能命令は、さらに、前記サーバに、英数字パスワードを入力するように前記ユーザに要求させる命令をさらに備える、請求項５６に記載のコンピュータ可読媒体。
【請求項５９】
前記コンピュータ実行可能命令は、前記サーバに、指紋センサ上で指を走査させるように前記ユーザに要求させる命令をさらに備える、請求項５４に記載のコンピュータ可読媒体。
【請求項６０】
前記コンピュータ実行可能命令は、前記サーバに、音声認識サンプルを記録するように前記ユーザに要求させる命令をさらに備える、請求項５４に記載のコンピュータ可読媒体。
【請求項６１】
前記コンピュータ実行可能命令は、前記サーバに、網膜スキャンを与えるように前記ユーザに要求させる命令をさらに備える、請求項５４に記載のコンピュータ可読媒体。
【請求項６２】
前記コンピュータ実行可能命令は、前記サーバに、顔認識画像を与えるように前記ユーザに要求させる命令をさらに備える、請求項５４に記載のコンピュータ可読媒体。
【請求項６３】
前記コンピュータ実行可能命令は、前記サーバに、筆跡サンプルを与えるように前記ユーザに要求させる命令をさらに備える、請求項５４に記載のコンピュータ可読媒体。
【請求項６４】
前記コンピュータ実行可能命令は、前記サーバに、前記ユーザの耳道のスキャンを与えるように前記ユーザに要求させる命令をさらに備える、請求項５４に記載のコンピュータ可読媒体。
【請求項６５】
前記コンピュータ実行可能命令は、前記サーバに、
前記セルラー電話ネットワークを介して前記ユーザのモバイルハンドセットから個人データを受信するステップと、
前記受信した個人データをＶＳＩＭデータベースに記憶するステップと、
を実行させるように前記ユーザに要求する命令をさらに備える、請求項５４に記載のコンピュータ可読媒体。
【請求項６６】
ユーザのモバイルハンドセットにおいて使用するための個人データを転送し保管するためのシステムであって、
内部メモリを有するモバイルハンドセットであって、プロビジョニングおよびユーザ個人データ用の前記内部メモリにアクセスするように構成された、モバイルハンドセットと、
ＶＳＩＭプロセッサを有するＶＳＩＭサーバであって、セルラー電話ネットワークを介して前記モバイルハンドセットによってアクセス可能であるように構成された、ＶＳＩＭサーバと、
前記ＶＳＩＭサーバと通信しているＶＳＩＭデータベースであって、前記モバイルハンドセットで使用するためのプロビジョニングおよび個人データを記憶するように構成された、ＶＳＩＭデータベースと、
前記ＶＳＩＭサーバと通信している認証プロセッサを有する認証サーバと、
前記認証サーバと通信している認証データベースと、
を備え、
前記ＶＳＩＭサーバは、
前記セルラー電話ネットワークを介して前記モバイルハンドセットによって送信された認証情報をユーザから受信し、
前記ユーザが前記認証プロセッサによって認証された場合、前記ＶＳＩＭデータベース中の個人データへのアクセスを前記ユーザに許可するように構成される、
システム。
【請求項６７】
前記ＶＳＩＭサーバは、モバイルハンドセットプロビジョニング情報をモバイルハンドセットによってアクセス可能な少なくとも１つのオペレータプロビジョニングサーバに記憶し、前記セルラー電話ネットワークを使用して前記プロビジョニングデータを前記モバイルハンドセットにダウンロードするようにさらに構成される、請求項６６に記載のシステム。
【請求項６８】
前記ＶＳＩＭサーバは、前記セルラー電話ネットワークを使用して前記プロビジョニングデータを前記モバイルハンドセットにダウンロードするようにさらに構成される、請求項６６に記載のシステム。
【請求項６９】
前記ＶＳＩＭサーバは、前記モバイルハンドセットから前記セルラー電話ネットワークを介して、前記モバイルハンドセットの前記内部メモリに記憶されたユーザ個人データを受信するようにさらに構成され、
モバイルハンドセットは、前記内部メモリに記憶されたユーザ個人データを前記セルラー電話ネットワークを介して前記ＶＳＩＭサーバに送信するように構成される、
請求項６６に記載のシステム。
【請求項７０】
前記ＶＳＩＭサーバは、前記モバイルハンドセットの前記内部メモリに記憶するためのユーザ個人データを前記セルラー電話ネットワークを介して前記モバイルハンドセットに送信するようにさらに構成され、
モバイルハンドセットは、前記ＶＳＩＭサーバから前記セルラー電話ネットワーク介してユーザ個人データを受信し、前記受信したユーザ個人データを前記内部メモリ中に記憶するように構成される、
請求項６６に記載のシステム。
【請求項７１】
前記モバイルハンドセットは、生体センサをさらに備え、前記認証サーバは、生体情報に基づいてユーザを認証するように構成される、請求項６６に記載のシステム。
【請求項７２】
前記モバイルハンドセットは、キーパッドをさらに備え、前記認証サーバは、英数字パスワードに基づいてユーザを認証するように構成される、請求項６６に記載のシステム。
【請求項７３】
前記モバイルハンドセットは、キーパッドをさらに備え、前記認証サーバは、前記生体情報と英数字パスワードとに基づいてユーザを認証するようにさらに構成される、請求項７１に記載のシステム。
【請求項７４】
さらに、前記生体センサは、指紋センサであり、前記認証サーバは、前記指紋センサによって与えられた指紋情報に基づいてユーザを認証するように構成される、請求項７１に記載のシステム。
【請求項７５】
さらに、前記生体センサは、音声認識レコーダであり、前記認証サーバは、前記音声認識レコーダによって与えられた記録された音声情報に基づいてユーザを認証するように構成される、請求項７１に記載のシステム。
【請求項７６】
さらに、前記生体センサは、網膜スキャンセンサであり、前記認証サーバは、前記網膜スキャンセンサによって与えられた網膜スキャン情報に基づいてユーザを認証するように構成される、請求項７１に記載のシステム。
【請求項７７】
さらに、前記生体センサは、カメラであり、前記認証サーバは、前記カメラによって与えられた画像中の顔の特徴の認識に基づいてユーザを認証するように構成される、請求項７１に記載のシステム。
【請求項７８】
さらに、前記生体センサは、デジタルペンおよびパッドであり、前記認証サーバは、前記デジタルペンおよびパッドによって与えられた筆跡サンプルに基づいてユーザを認証するように構成される、請求項７１に記載のシステム。
【請求項７９】
さらに、前記生体センサは、３次元スキャナセンサであり、前記認証サーバは、前記３次元スキャナセンサによって与えられた前記ユーザの耳道の深さおよび形状に基づいてユーザを認証するように構成される、請求項７１に記載のシステム。
【請求項８０】
前記少なくとも１つのオペレータプロビジョニングセンタサーバは、複数のサービスプロバイダのプロビジョニング情報を含んでいる、請求項６６に記載のシステム。
【請求項８１】
前記ＶＳＩＭサーバは、複数のサービスプロバイダのプロビジョニング情報を含んでいる、請求項８０に記載のシステム。
【請求項８２】
前記ＶＳＩＭサーバと通信している複数のオペレータプロビジョニングセンタをさらに備える、請求項８０に記載のシステム。
【請求項８３】
前記複数のオペレータプロビジョニングセンタの各々は、異なるサービスプロバイダのプロビジョニング情報を含んでいる、請求項８２に記載のシステム。
【請求項８４】
セルラー電話ネットワークとともに使用するためのセルラー電話であって、
メモリユニットと、
外部サーバから前記セルラー電話ネットワークを介してプロビジョニング情報を受信し、
前記外部サーバから前記セルラー電話ネットワークを介して個人データを受信し、
受信したプロビジョニングデータと個人データとを前記メモリユニットに記憶し、
前記セルラー電話ネットワークから電話をかけるおよび電話を受けるために、前記メモリユニットに記憶された前記プロビジョニングデータを使用する、
ように構成されたプロセッサと、
を備えるセルラー電話。
【請求項８５】
前記プロセッサに結合された生体センサをさらに備え、
前記プロセッサは、
前記生体センサから生体データを受信し、
前記受信した生体データを前記セルラーデータネットワークを介して前記外部サーバに転送するようにさらに構成される、
請求項８４に記載のセルラー電話。
【請求項８６】
前記プロセッサは、
前記外部サーバから前記セルラー電話ネットワークを介してユーザ認証データの要求を受信し、
ユーザ認証データの前記要求の受信に応答して、前記生体センサを使用して前記生体データを生成するようにユーザに促す、
ようにさらに構成される、請求項８４に記載のセルラー電話。
【請求項８７】
前記プロセッサは、前記メモリユニットに記憶された個人データを前記セルラーデータネットワークを介して前記外部サーバに送信するようにさらに構成される、請求項８４に記載のセルラー電話。
【請求項８８】
前記プロセッサは、前記メモリユニットに記憶された個人データを、前記個人データがユーザによって変更されたときに、前記セルラーデータネットワークを介して前記外部サーバに送信するようにさらに構成される、請求項８４に記載のセルラー電話。
【請求項８９】
前記プロセッサは、所定の間隔で、前記メモリユニットに記憶された個人データを、前記セルラーデータネットワークを介して前記外部サーバに送信するようにさらに構成された、請求項８４に記載のセルラー電話。
【請求項９０】
前記プロセッサは、ユーザによってそうするように促されたとき、前記メモリユニットに記憶された個人データを、前記セルラーデータネットワークを介して前記外部サーバに送信するようにさらに構成される、請求項８４に記載のセルラー電話。
【請求項９１】
前記受信した個人データは、電話帳を備え、前記プロセッサは、前記メモリユニットに記憶された前記個人データを使用して電話帳機能を与えるようにさらに構成される、請求項８４に記載のセルラー電話。
【請求項９２】
前記受信した個人データは、呼出音を備え、前記プロセッサは、前記メモリユニットに記憶された前記個人データ中の前記呼出音を使用するようにさらに構成される、請求項８４に記載のセルラー電話。
【請求項９３】
前記受信した個人データは、壁紙を備え、前記プロセッサは、前記メモリユニットに記憶された前記個人データ中の前記壁紙を使用するようにさらに構成される、請求項８４に記載のセルラー電話。
【請求項９４】
セルラー電話をプロビジョニングするための方法であって、
認証証明をセルラー電話ネットワークを介して外部サーバに送信することと、
前記セルラー電話ネットワークを介してプロビジョニング情報を受信することと、
前記受信したプロビジョニング情報を内部メモリユニットに記憶することと、
前記セルラー電話ネットワークから電話をかけるおよび電話を受けるために、前記メモリユニットに記憶された前記プロビジョニングデータを使用することと、
を備える方法。
【請求項９５】
生体センサから生体データを受信することと、
前記受信した生体データを前記セルラーデータネットワークを介して前記外部サーバに送信することと、
をさらに備える、請求項９４に記載の方法。
【請求項９６】
前記外部サーバから前記セルラー電話ネットワークを介してユーザ認証データの要求を受信することと、
ユーザ認証データの前記要求の受信に応答して、生体センサを使用して前記生体データを生成するようにユーザに促すことと、
をさらに備える、請求項９５に記載の方法。
【請求項９７】
前記メモリユニットに記憶された個人データを前記セルラーデータネットワークを介して前記外部サーバに送信することをさらに備える、請求項９４に記載の方法。
【請求項９８】
前記個人データがユーザによって変更されたとき、前記メモリユニットに記憶された個人データを、前記セルラーデータネットワークを介して前記外部サーバに送信することをさらに備える、請求項９４に記載の方法。
【請求項９９】
所定の間隔で、前記メモリユニットに記憶された個人データを、前記セルラーデータネットワークを介して前記外部サーバに送信することをさらに備える、請求項９４に記載の方法。
【請求項１００】
ユーザによってそうするように促されたとき、前記メモリユニットに記憶された個人データを、前記セルラーデータネットワークを介して前記外部サーバに送信することをさらに備える、請求項９４に記載の方法。
【請求項１０１】
前記メモリユニットに記憶された前記個人データを使用して電話帳機能を与えることをさらに備える、請求項９４に記載の方法。
【請求項１０２】
前記メモリユニットに記憶された前記個人データ中の呼出音を使用することをさらに備える、請求項９４に記載の方法。
【請求項１０３】
前記メモリユニットに記憶された前記個人データ中の壁紙を使用することをさらに備える、請求項９４に記載の方法。
【請求項１０４】
セルラー電話プロセッサで実行可能なソフトウェア命令を記憶したコンピュータ可読メモリであって、前記ソフトウェア命令は、前記プロセッサに、
認証証明をセルラー電話ネットワークを介して外部サーバに送信するステップと、
前記セルラー電話ネットワークを介してプロビジョニング情報を受信するステップと、
前記受信したプロビジョニング情報を内部メモリユニットに記憶するステップと、
前記セルラー電話ネットワークから電話をかけるおよび電話を受けるために、前記メモリユニットに記憶された前記プロビジョニングデータを使用するステップと、
を実行させるように構成される、コンピュータ可読メモリ。
【請求項１０５】
前記記憶されたソフトウェア命令は、前記プロセッサに、
生体センサから生体データを受信するステップと、
前記受信した生体データを前記セルラーデータネットワークを介して外部サーバに転送するステップと、
をさらに実行させるように構成される、請求項１０４に記載のコンピュータ可読媒体。
【請求項１０６】
前記記憶されたソフトウェア命令は、前記プロセッサに、
前記セルラー電話ネットワークを介してユーザ認証データの要求を受信するステップと、
ユーザ認証データの前記要求の受信に応答して、前記生体センサを使用して前記生体データを生成するようにユーザに促すステップと、
をさらに実行させるように構成される、請求項１０５に記載のコンピュータ可読媒体。
【請求項１０７】
前記記憶されたソフトウェア命令は、前記プロセッサに、メモリに記憶された個人データを前記セルラーデータネットワークを介して前記外部サーバに送信するステップをさらに実行させるように構成される、請求項１０４に記載のコンピュータ可読媒体。
【請求項１０８】
前記記憶されたソフトウェア命令は、前記プロセッサに、メモリに記憶された個人データを、前記個人データがユーザによって変更されたときに、前記セルラーデータネットワークを介して前記外部サーバに送信するステップをさらに実行させるように構成される、請求項１０４に記載のコンピュータ可読媒体。
【請求項１０９】
前記記憶されたソフトウェア命令は、前記プロセッサに、所定の間隔で、メモリに記憶された個人データを前記セルラーデータネットワークを介して前記外部サーバに送信するステップをさらに実行させるように構成される、請求項１０４に記載のコンピュータ可読媒体。
【請求項１１０】
前記記憶されたソフトウェア命令は、前記プロセッサに、ユーザによってそうするように促されたとき、メモリに記憶された個人データを前記セルラーデータネットワークを介して前記外部サーバに送信するステップをさらに実行させるように構成される、請求項１０４に記載のコンピュータ可読媒体。
【請求項１１１】
前記受信した個人データは、電話帳を備え、前記記憶されたソフトウェア命令は、前記プロセッサに、メモリに記憶された前記個人データを使用して電話帳機能を与えるステップをさらに実行させるように構成される、請求項１０４に記載のコンピュータ可読媒体。
【請求項１１２】
前記受信した個人データは、呼出音を備え、前記記憶されたソフトウェア命令は、前記プロセッサに、メモリに記憶された前記個人データ中の前記呼出音を使用するステップをさらに実行させるように構成される、請求項１０４に記載のコンピュータ可読媒体。
【請求項１１３】
前記受信した個人データは、壁紙を備え、前記記憶されたソフトウェア命令は、前記プロセッサに、メモリに記憶された前記個人データ中の前記壁紙を使用するステップをさらに実行させるように構成される、請求項１０４に記載のコンピュータ可読媒体。
【発明の詳細な説明】
【技術分野】
【０００１】
本発明は、セルラー電話プロビジョニング情報および個人データをモバイルハンドセットにリモートでダウンロードするためのシステムおよび方法に関する。
【背景技術】
【０００２】
現在、モバイルハンドセットは、選択した通信事業者に応じて、たとえば、ＧＳＭ（Global System for Mobile Communication）、ＣＤＭＡ（Code Division Multiple Access）、および／またはＵＭＴＳ（Universal Mobile Telecommunications System）技術を含む、様々な技術およびフォーマットを利用する。ユーザの個人データを記憶するために、ＧＳＭおよびＵＭＴＳモバイルハンドセットは、通常ＳＩＭカードとして知られる、加入者識別モジュール（Subscriber Identity Module：ＳＩＭ）を利用する。ＳＩＭカードは、ユーザのセルホンプロビジョニングまたはサブスクリプション情報、ならびに電話帳、保存されたＳＭＳメッセージ、ダウンロードされたデータ、および個人化設定など、大量の個人データを含んでいる着脱可能なスマートカードである。ＳＩＭカードを使用することによって、モバイルハンドセットユーザは、ハンドセットをアップグレードするときに自身の個人データ情報を保持することができる。したがって、ＧＳＭおよびＵＭＴＳモバイルハンドセットユーザは、自身の重要な個人データのすべてを容易に保持しながら、より新しいモデルのハンドセットを購入するか、またはモバイルハンドセットを取り替えることができる。このようにして、ユーザが自身のモバイルハンドセットを取り替える場合、ＳＩＭカードが取替え用電話に差し込まれる限り、ユーザは自身の個人データのすべてを再入力せずに済むだろう。また、ＳＩＭカードがセルラーネットワークプロビジョニング情報を含んでいるので、ユーザは、ＳＩＭカードを替えるだけで、自身のモバイルハンドセットを保持しながら通信事業者を替えることができる。しかしながら、ＧＳＭおよびＵＭＴＳモバイルハンドセットユーザがＳＩＭカードとともに自身のモバイルハンドセットを遺失した場合、ユーザは、自身の個人データを失い、データを取替え用ハンドセットに再入力しなければならない。
【０００３】
リムーバブルユーザ識別情報モジュール（Removable User Identity Module：ＲＵＩＭ）、汎用加入者識別モジュール（Universal Subscriber Identity Module：ＵＳＩＭ）、または汎用集積回路カード（Universal Integrated Circuit Card：ＵＩＣＣ）など、他のモバイルネットワークシステムのための類似したデバイスが開発されたが、これらのデバイスには、これらのデバイスを含んでいるモバイルハンドセットが遺失または破壊されたときに個人データが失われるという同じ問題がある。さらに、ＳＩＭ、ＲＵＩＭ、ＵＳＩＭ、およびＵＩＣＣは、オペレータおよびユーザにコストがかかり、スケーラブルではなく、大量のユーザデータおよびアプリケーションを記憶するための十分な容量を有しないことがある。
【０００４】
さらに、いくつかのＣＤＭＡモバイルハンドセットは、ハンドセットからハンドセットに移すことができるリムーバブルカードにプロビジョニング情報を記憶するが、多くのＣＤＭＡ電話はこの機能を提供しない。したがって、これらのタイプのＣＤＭＡモバイルハンドセットが通信事業者から購入されたとき、その通信事業者はモバイルハンドセットをプロビジョニングしなければならない。また、ＣＤＭＡモバイルハンドセットユーザは、新たなモバイルハンドセットを以前のモバイルハンドセットに存在する自身の個人データを用いてプログラムしてもらうことを望む場合、ユーザは、サービスプロバイダに、そのような情報を新たな電話にダウンロードしてもらわなければならない。このプロセスは、時間がかかるか、不便であるか、またはコストがかかることがある。
【０００５】
したがって、ユーザがモバイルハンドセットのメモリに含まれている個人データをより容易に保持および転送できるようにするシステムおよび方法が望まれる。
【発明の概要】
【０００６】
様々な実施形態は、モバイルハンドセットデバイスのメモリ内に含まれている個人データを保持し、転送するためのシステムおよび方法を提供する。いくつかの実施形態は、認証ステップおよび検証ステップが完了した後、個人データをサーバにダウンロードする機能をモバイルハンドセットユーザに提供する。他の実施形態は、モバイルハンドセットユーザが、サーバから個人データをアップロードすることによってリモートで新たなモバイルハンドセットをプロビジョニングできるようにする。いくつかの実施形態は、ユーザ認証および検証の目的で英数字パスワードを利用する。他の実施形態は、ユーザ認証および検証の目的で生体センサを実装する。
【０００７】
本明細書に組み込まれ、本明細書の一部をなす添付の図面は、本発明の実施形態を示し、上記の概略的な説明および下記の詳細な説明とともに、本発明の特徴を説明するのに役立つ。
【図面の簡単な説明】
【０００８】
【図１】図１は、仮想ＳＩＭ（ＶＳＩＭ）機能を可能にする一実施形態システムを示すシステム図である。
【図２】図２は、ＶＳＩＭ機能を初期設定するための一実施形態方法のステップを示すプロセス流れ図である。
【図３】図３は、個人データをバックアップ／復元／変更するための一実施形態方法のステップを示すプロセス流れ図である。
【図４】図４は、ＶＳＩＭシステムの動作のための一実施形態方法のステップを示すプロセス流れ図である。    図４は、モバイルハンドセットが個人データサーバへのアクセスを要求することができる一実施形態方法のステップを示すプロセス流れ図である。
【図５】図５は、ＶＳＩＭ個人データサーバを使用して個人データをバックアップおよび修復する能力をユーザに提供するモバイル通信システム実施形態を示すシステム図である。
【図６】図６は、新たなモバイルハンドセットプロビジョニングおよびＶＳＩＭ機能を提供するシステム実施形態を示すシステム図である。
【図７】図７は、仮想ＳＩＭ機能を使用して新たなモバイルハンドセットをプロビジョニングする能力をユーザに提供するモバイル通信システム実施形態を示すシステム図である。
【図８】図８は、複数のサービスプロバイダから新たなモバイルハンドセットプロビジョニングを提供するシステム実施形態を示すシステム図である。
【図９】図９は、ＶＳＩＭ機能を使用して様々なサービスプロバイダから新たなモバイルハンドセットをプロビジョニングする能力をユーザに提供するモバイル通信システム実施形態を示すシステム図である。
【図１０】図１０は、ユーザ認証のためのバイオセンサをもつモバイルハンドセットの斜視図である。
【発明を実施するための形態】
【０００９】
様々な実施形態について添付の図面を参照しながら詳細に説明する。可能な場合はいつでも、同じまたは同様の部分を指すために図面全体にわたって同じ参照番号を使用する。
【００１０】
近年、モバイルハンドセット技術の機能の拡大により、モバイルハンドセットのメモリ内に記憶できる個人データのタイプおよび量が増加した。ユーザが自身のモバイルハンドセットに記憶する個人データにはいくつかのタイプがある。典型的なモバイルハンドセットユーザは、モバイルハンドセットメモリ内に記憶されたユーザの個人電話帳に連絡先をプログラムすることに時間を費やす。呼出音および個人用スクリーン「壁紙」を追加することなど、モバイルハンドセットのカスタマイゼーションは、モバイルハンドセットメモリ内に記憶されたより多くの個人データを追加する。個人データは、写真、ビデオ、ｍｐ３音楽ファイル、ゲームなどのサードパーティアプリケーションをも含むことができる。さらに、モバイルハンドセットメモリは、送信または受信したＳＭＳメッセージ、および閲覧または操作のためのモバイルハンドセットに送信されたデータファイルを含むことができる。ＧＳＭモバイルハンドセットおよびそれらの３Ｇ後継ＵＭＴＳモバイルハンドセットの場合、各モバイルハンドセットに固有のプロビジョニング情報は、一般にＳＩＭカードに記憶される。
【００１１】
モバイルハンドセットが遺失または破壊されたときの共通の不満は、取替え用機器のコストでなく、個人データの入れ替えおよび再プログラミングのコストまたは労力である。さらに、一部のモバイルハンドセットユーザは、１つのハンドセットから別のハンドセットに個人データを転送することが困難であるために自身の機器のアップグレードを遅らせる。
【００１２】
加入者識別モジュール（Subscriber Identity Module：ＳＩＭ）は、セルラー電話ネットワークに対して携帯電話を識別するために使用されるサービス加入者キーを記憶するためにＧＳＭおよびＵＭＴＳモバイルハンドセットにおいて使用されるリムーバブルなメモリチップまたはスマートカードである。ＳＩＭカードは、ユーザに、１つの携帯電話からＳＩＭカードを取り外し、それを別の携帯電話に挿入するだけで電話を替えることを許す。典型的な低コストＳＩＭカードは、個人電話帳を入れるには十分な、２〜３ＫＢの少ないメモリを有する。ＳＩＭカードに記憶されたデータは、直接電話によって使用される。追加のアプリケーションをもつＳＩＭカードは、多くの記憶サイズにおいて利用可能であり、最も大きいものは最高１ギガバイトの情報を記憶することが可能である。３２ＫＢまたは１６ＫＢまで記憶することが可能なより小さいサイズのＳＩＭカードは、低開発ＧＳＭネットワークのエリアにおいて最も普及している。
【００１３】
ＳＩＭカードの使用はＧＳＭセルラー電話ネットワークにおいて必須である。ＳＩＭカードは、ネットワーク上の加入者を認証および識別するために使用されるネットワーク固有の情報を記憶し、情報の中で最も重要なものが、ＩＣＣＩＤ、ＩＭＳＩ、認証キー（Authentication Key：Ｋｉ）、およびローカルエリア識別情報（Local Area Identity：ＬＡＩ）である。ＳＩＭは、ＳＭＳＣ（ショートメッセージサービスセンタ（Short Message Service Centre））番号、サービスプロバイダ名（Service Provider Name：ＳＰＮ）、サービスダイヤリング番号（Service Dialing Numbers：ＳＤＮ）、および付加価値サービス（Value Added Service：ＶＡＳ）アプリケーションなど、他の通信事業者固有のデータをも記憶する。ＵＭＴＳセルラー電話ネットワークにおけるＳＩＭカードの均等物は、ユニバーサル集積回路カード（Universal Integrated Circuit Card：ＵＩＣＣ）と呼ばれる。ＣＤＭＡ電話は、リムーバブルユーザ識別情報モジュール（Removable User Identity Module：ＲＵＩＭ）を含んでいる。
【００１４】
ＳＩＭカードはリムーバブルなので、ＧＳＭおよびＵＭＴＳハンドセットユーザは、ＳＩＭカードを１つのモバイルハンドセットから別のモバイルハンドセットに移すだけで比較的容易に個人データを移すことができる。このプロセスは、ＧＳＭおよびＵＭＴＳモバイルハンドセットユーザが自身のモバイルハンドセット機器をアップグレードすることを望むとき、またはユーザのハンドセットは遺失または破壊されたが、ＳＩＭカードは修復されたときに利用可能である。ただし、モバイルハンドセットが遺失または破壊されたとき、多くの場合、ＳＩＭカードはモバイルハンドセットとともに遺失または破壊される。そのような場合、ＳＩＭカードに記憶された個人データは、修復不能なほどに失われる。
【００１５】
ＧＳＭおよびＵＭＴＳモバイルハンドセットユーザとは対照的に、ＣＤＭＡモバイルハンドセットユーザは、プロビジョニングメモリカードをハンドセットからハンドセットに簡単に移すことができない。ＣＤＭＡモバイルハンドセットのユーザは、自身の機器を取り替え、交換、またはアップグレードすることを望むとき、サービスプロバイダに、自身の古い電話から自身の個人データをダウンロードし、その情報をユーザのネットワークアカウント情報とともに新たな電話に再プロビジョニングしてもらわなければならない。
【００１６】
個人データをモバイルデバイス、ＧＳＭ  ＳＩＭカード、ならびにＵＭＴＳ  ＵＳＩＭおよびＣＤＭＡ  Ｒ−ＵＩＭ物理カードに再プログラムすることが困難であることに加えて、相手先商標製品製造会社（Original Equipment Manufacturers：ＯＥＭｓ）、オペレータ、およびユーザにコストがかかる。さらに、ＧＳＭ  ＳＩＭカード、ならびにＵＭＴＳ  ＵＳＩＭおよびＣＤＭＡ  Ｒ−ＵＩＭ物理カードは、ユーザが自身の電話に現在ロードしている大量の使用データおよびアプリケーションのための十分な記憶容量を有しないことがある。セルホンアプリケーションがより精巧になり、より多くの記憶スペースを要求するにつれて、ＳＩＭ、ＵＳＩＭ、およびＲ−ＵＩＭカードはスケーラブルではないので、新たなカードを導入する必要がある。
【００１７】
内部メモリを使用して、ＧＳＭ、ＵＭＴＳおよびＣＤＭＡの種類を含むすべてのモバイルハンドセットにプロビジョニング情報を記憶することができるように、本明細書で説明する実施形態は、仮想ＳＩＭ（ＶＳＩＭ）カード機能を作成することによってこれらの問題を緩和することができる。図１は、モバイルハンドセット１０１が、個人データを送信および受信するために、セルラー電話ネットワーク上でＶＳＩＭサーバ１０２と通信する一実施形態の全体的なアーキテクチャを示す。よく知られているように、セルラー電話ネットワークは、モバイルハンドセット１０１と通信し、セルラー電話ネットワークインターフェース１１２を介してＶＳＩＭサーバ１０２など、選択された宛先にセルラー電話ネットワーク上で音声およびデータ信号を送信するためのセルラーアンテナ１２１を含む。ＶＳＩＭサーバ１０２は、有線、光ファイバまたはワイヤレスネットワーク接続などによって認証サーバ１０３に結合できる。ＶＳＩＭサーバ１０２は、大容量記憶ディスクドライブなどの内部メモリ記憶ユニットを含むか、またはシステム上で動作している個々のモバイルハンドセットの個人データ情報を記憶することが可能なＶＳＩＭデータベース１０４に接続できる。同様に、認証サーバ１０３は、大容量記憶ディスクドライブなどの内部メモリ記憶ユニットを含むか、またはシステム上で動作している個々のモバイルハンドセットの認証証明を記憶することが可能な認証データベース１０６に接続できる。一実施形態では、ＶＳＩＭサーバ１０２はまた、認証機能をＶＳＩＭサーバソフトウェア内に組み込み、十分なメモリ記憶ユニット１０４を与えることによって認証サーバ１０３として働くことができる。
【００１８】
モバイルハンドセット１０１は、プロセッサ１０７と、ネットワークプロビジョニングおよび個人データをモバイルハンドセット内に記憶するように構成された、ランダムアクセスメモリまたはフラッシュメモリユニットなど、内部メモリ記憶ユニット１０５とを含む。機密性の高い個人データ、モバイルハンドセットプロビジョニング情報、ならびに認証および検証情報がモバイルハンドセット１０１とＶＳＩＭサーバ１０２との間で互いに送信されることができるので、ＶＳＩＭサーバ１０２とモバイルハンドセットプロセッサ１０７とは、無許可の閲覧からデータを保護するために、知られているデータ暗号化およびキー方法を使用してそのような情報を暗号化するように、ソフトウェアを用いて構成されることができる。
【００１９】
本明細書に記載の様々な実施形態の仮想ＳＩＭすなわちＶＳＩＭは、機能的にＧＳＭハンドセットにおけるＳＩＭカードに取って代わり、ＵＭＴＳおよびＣＤＭＡハンドセットにおけるプロビジョニング情報を記憶する。動作中、モバイルハンドセットプロセッサ１０７は、セルラー電話ネットワークに接続するために、（ＳＩＭカードの代わりに）メモリユニット１０５に記憶されたネットワークプロビジョニング情報を呼び出す。また、電話帳およびメッセージングアクセスメモリのようなハンドセットアプリケーションは、ＳＩＭカードまたは他のリムーバブルメモリカードの代わりにハンドセットメモリユニット１０５のＶＳＩＭ部分内に記憶される。ハンドセットメモリユニット１０５のＶＳＩＭ部分に記憶された情報は、外部ＶＳＩＭサーバ１０２上にバックアップされ、維持される。
【００２０】
ＶＳＩＭサーバ１０２によって与えられるＶＳＩＭサービスは、サービスの標準装備として、または、割増しサブスクリプション料金サービスとしてモバイルハンドセットユーザに提供されることができる。このアーキテクチャは、プロビジョニングおよび個人情報に、任意の時間にハンドセットメモリユニット１０５のＶＳＩＭ部分にアップロードされることを許し、新たなモバイルハンドセットのプロビジョニングおよびプログラムに柔軟性を与える。このアーキテクチャはまた、モバイルハンドセット全体が遺失されたとしても、ユーザの個人データを保管する個人データの外部バックアップをユーザに与える。セルラー電話ネットワークを介してＶＳＩＭサーバ１０２にログオンすることによって、ユーザは、自身の個人データをＶＳＩＭサーバ１０２にバックアップすることができる。よって、モバイルハンドセット全体が遺失または破壊されたとしても、ユーザの個人データは保管され、取替え用ハンドセット上に再ロードする準備ができている。保管されたユーザの個人データを復元するために、ユーザは、セルラー電話ネットワークを介してＶＳＩＭサーバ１０２にログオンし、以前に記憶された認証証明と比較するために認証証明を送信することによって自身を認証する。認証されたユーザは、直接ハンドセットメモリユニット１０５のＶＳＩＭ部分に情報をダウンロードすることによって、自身の個人データ、および随意にプロビジョニング情報を取替え用ハンドセットに復元することが可能である。認証されていないユーザは、ＶＳＩＭデータベースへのアクセスを拒否される。
【００２１】
図２は、ＶＳＩＭサーバ１０２上にＶＳＩＭアカウントを作成し、個人データをアップロードするためのプロセスの大要を示す。ＶＳＩＭサービスユーザは、ネットワークサービスプロバイダ、またはサードパーティＶＳＩＭサービスプロバイダによって作動されているＶＳＩＭサーバ１０２上にＶＳＩＭアカウントを最初にセットアップしなければならない。そうするために、ユーザはＶＳＩＭサーバ１０２にログインする（ステップ２５０）。これは、セルラー電話ネットワーク１２２上でモバイルハンドセット１０１を介して、またはインターネット１２４およびインターネットインターフェース１２５を介してＶＳＩＭサーバ１０２に接続されたコンピュータ１２３を使用することによって達成されることができる。ＳＳＬまたは他のセキュアなリンクなど、データセキュリティ対策が、ユーザのアカウントおよび認証情報を傍受から保護するために使用されることができる。ＶＳＩＭサーバ１０２にログオンすると、ユーザはユーザアカウントを作成する（ステップ２５４）。そのようなアカウントは、個人情報をウェブページに、またはハンドセット自体に入力することによって作成されることができる。その過程で、ユーザは、登録される特定のハンドセット１０１を関連付ける、任意であるが、一意のアカウント名であるアカウント名（またはユーザ名）を作成することができる。たとえば、モバイルハンドセットの電話番号がアカウント名として使用されることができる。ユーザはまた、ＶＳＩＭユーザアカウントに関連付けられるパスワードを入力することができる。ユーザの個人情報およびユーザアカウント名は、ＶＳＩＭデータベース１０４中にファイルとして記憶される。
【００２２】
ユーザアカウントのセットアップの一部として、ユーザは、認証証明を入力するように促されるだろう（ステップ２５５）。ＶＳＩＭサーバ１０２はユーザが容易にアクセス可能なように構成され、機密性の高い情報を含んでいるので、データを転送するより前にユーザを認証するように構成されることが重要である。これを可能にするために、システムは、機密性の高い情報へのアクセスを許可するより前に、各ユーザを認証する後続のセッションにおいて使用されるだろうアカウントが作成される時に、認証情報が与えられなければならない。パスワード検証、生体認識、およびそれらの組合せを含むいくつかの認証方法のいずれかが採用されることができる。認証証明は、（ワイヤレス通信ネットワーク上でモバイルハンドセット１０１を介して、または、セキュアなインターネットリンクを介してユーザのコンピュータを通して）ＶＳＩＭサーバ１０２によって受信され、ユーザアカウント名に関連付けられた認証ファイルとして認証サーバ１０３を介して認証データベース１０６に記憶される（ステップ２５６）。
【００２３】
一実施形態では、認証証明は、単純な英数字パスワードとすることができる。そのような実施形態では、ユーザは、パスワードを与えられるか、またはユーザアカウント名（または、異なるデータベースに記憶されたユーザアカウント名に結び付けられたキー）とともに認証サーバ１０３に記憶されるだろうパスワードを入力する機会を与えられるだろう。また、ユーザがパスワードを忘れ、新たなパスワードの発行を必要とする場合に、使用すべきセキュリティ質問を入力するようにユーザを促すことができる。
【００２４】
生体認証を使用する実施形態では、指紋画像など何らかの生体情報が、認証証明として使用するために取得され、認証サーバ１０３に記憶される。そのような生体情報は、限定はしないが、指紋画像、音声認識において使用するための発話フレーズ、顔認識において使用するための顔の画像、筆跡分析のための筆跡サンプル、網膜スキャンからの画像、およびユーザの耳道の形状および深さの３次元スキャンとすることができる。指紋生体情報を使用する実施形態では、ユーザは、認証サーバ１０３に記憶される指紋テンプレートを生成するためにスキャンされた指紋を有するだろう。生体認証の他の形態では、ユーザは、音声サンプルを記録するかまたはユーザの網膜をスキャンし、得られた記録（または声紋）または画像を認証サーバ１０３に記憶することができる。認証の形態として顔認識を使用する実施形態では、モバイルデバイス上のカメラを、ユーザの顔の詳細な写真を撮るために採用することができる。同様に、デジタルペンをモバイルデバイスに結合し、筆跡サンプルを記録するために使用することができる。特定用途向けセンサを、ユーザの耳道の形状および深さを記録するために採用することができる。
【００２５】
図１０に示される一実施形態では、モバイルハンドセット１０１は、ユーザがＶＳＩＭサーバ１０２に確実に認証されるように取り付けられたまたは内蔵された、生体センサ１１０を有する。図示のように、モバイルハンドセット１０１はまた、ユーザインターフェースディスプレイ１１１および英数字キーパッド１０９を含むことができる。生体センサは、指がセンサ上を通るとユーザの指紋の画像またはパターンデータを生成するように構成された、指紋スキャナ１１０を備えることができる。認証サーバ１０３に送信する準備ができるまで、指紋画像またはパターンデータはハンドセットユニットの内部メモリに一時的に記憶されることができる。送信後に、生体データは、モバイルハンドセット１０１内に恒久的に記憶されるべきではないので、この情報はハンドセットメモリ１０５から削除される。他の実施形態では、指紋センサは、網膜スキャン認証のための網膜パターンまたは顔認識認証のための顔の特徴を記録するためのカメラを加えられる、またはカメラを代わりにされることができる。あるいは、デジタルペンおよびパッドが、ユーザがデジタルペンを用いてパッドに書くことによって認証のための筆跡サンプルを提出することを可能にするために加えられることができる。同様に、耳道の形状および深さを測定することが可能なセンサが追加される、または指紋センサ１１０の代わりに使用されることができる。
【００２６】
ユーザアカウントがＶＳＩＭサーバ１０２において確立され、適切な認証証明が認証サーバ１０３に記憶されると、ＶＳＩＭサーバ１０２を介してモバイルハンドセットメモリ１０５からＶＳＩＭデータベースに個人データが転送されることができる（ステップ２５４）。ユーザアカウントと認証証明とがコンピュータを介してセキュアなインターネット接続を通って送信される例では、ユーザは、内部メモリ１０５からＶＳＩＭデータベース１０２に個人データを転送するために、セルラー電話ネットワークを介してＶＳＩＭサーバ１０２にハンドセット１０１をリンクすることによって、以後の時間に、以下で説明するアップロード／バックアップステップを実行する必要があるだろう。転送された個人データは、ＶＳＩＭサーバ１０２によって、ユーザアカウントに関連付けられた、またはキーイングされたＶＳＩＭデータベース１０４内に配置されたファイルに記憶される。これは、モバイルハンドセットの内部メモリユニット１０５内に記憶されたネットワークプロビジョニングおよび個人データの外部ＶＳＩＭバックアップファイルを作成する。
【００２７】
ユーザアカウントが確立され、個人データがＶＳＩＭサーバ１０２にバックアップされると、ユーザは、ハンドセット１０１をセルラー電話ネットワークを介してＶＳＩＭサーバ１０２にリンクし、ユーザのアカウント名および認証証明を与えることによって任意の時間に個人データを更新および／または修復することができる。ハンドセットがＶＳＩＭサーバにログインすると、ハンドセットユーザインターフェースディスプレイ１１１上のメニュープロンプトに応答することなどによって、ユーザは手動で更新またはダウンロードを開始することができる。一実施形態では、ハンドセットに記憶された個人データへの変更があると、ハンドセットに記憶された個人データに新規エントリが作成されると、またはハンドセットに記憶された個人データからデータエントリが削除されるといつでも、ユーザの個人データは自動的に更新されることができる。また、スケジュールされたバックアップは、毎日、毎週、毎月、毎年など所定のスケジュールで自動的に実行されることができる。そのような自動更新は、ユーザによって促すことなしに、ハンドセット１０１が自動的にＶＳＩＭサーバ１０２にリンクし、更新されたデータファイルを転送することによって行われる。
【００２８】
図３は、ユーザアカウントが初期設定された後に、ＶＳＩＭ機能を使用して個人データをバックアップ、変更、および復元するための一実施形態方法を示す。モバイルハンドセットの電源投入、あるいはユーザまたはサービスプロバイダによって予め設定された他の間隔に応じて、モバイルハンドセットは、セルラー電話ネットワークを介したＶＳＩＭサーバ１０２へのワイヤレス通信リンクを確立する（ステップ２５０）。通信リンクが確立されると、ＶＳＩＭサーバ１０２へのログインが達成される（ステップ２５１）。ログインプロセスの一部として、ユーザは、ハンドセットキーボードを介してユーザのアカウント情報を入力するように促されることができる（ステップ２５２）。モバイルハンドセットに関連付けられた電話番号がユーザアカウント名として使用される場合などでは、アカウント名はＶＳＩＭサーバ１０２によって自動的に受信されることができる。また、ユーザは、認証証明を入力するように促されることができる（ステップ２６２）。上記のように、認証証明は、単純な英数字パスワード、またはモバイルハンドセット１０１において入力された生体データの何らかの形態とすることができる。ハンドセットに入力されると、認証証明は、好ましくは、ハンドセットプロセッサ１０７によって暗号化され、セルラー電話ネットワークを介して、そのデータを認証サーバ１０３に渡すことができるＶＳＩＭサーバ１０２に送信される。
【００２９】
ＶＳＩＭサーバ１０２および／または認証サーバ１０３は、受信したユーザアカウントおよび認証証明データを解読し、（アカウントセットアップ手順ステップ２５６中に、認証サーバデータベース１０６に記憶された）ユーザアカウントに関連付けられた記憶された認証証明にアクセスする。ユーザを認証し、許可されたユーザがログインしようと試みているのか検証するために、受信した認証証明は記憶された認証証明と比較される（ステップ２６３）。認証証明が一致した場合、ユーザは認証され、ＶＳＩＭデータベース１０４内に記憶されたユーザアカウントファイルへのアクセスが許可される（ステップ２６０）。
【００３０】
アクセスが許可されると、ユーザは、ＶＳＩＭサーバ１０２を介してモバイルハンドセット内部メモリ１０５からＶＳＩＭデータベース１０４に個人データをアップロード／バックアップするか、または個人データをハンドセットメモリに復元することができる（ステップ２６１）。バックアップ手順中に、個人データは、ＶＳＩＭサーバ１０２を介してモバイルハンドセット１０１の内部メモリ１０５からＶＳＩＭデータベース１０４に送信される。復元動作中に、個人データは、ＶＳＩＭデータベース１０４からモバイルハンドセット１０１に送信され、その内部メモリ１０５に記憶される。ＶＳＩＭデータベース１０４内に記憶された個人データを変更するなど、ユーザは他の動作を実行することもできる。データ変更手順は、バックアップ手順と同様とすることができる。ユーザに対してアクセスが許可される限り、個人データはモバイルハンドセット１０１からＶＳＩＭサーバ１０２を介してＶＳＩＭデータベース１０４に流れ、逆もまた同じである。ユーザは、所望のバックアップ手順、復元手順、変更手順を完了すると、ＶＳＩＭサーバからログオフすることができる（ステップ２６９）。
【００３１】
認証証明が一致しなかった場合、ＶＳＩＭサーバ１０２を介したＶＳＩＭデータベース１０４へのアクセスは拒否されるだろう。図３に示されるように、フラグがセットされるか、成功しなかった認証試みの回数を記録するためにカウントが確立される（ステップ２６４）。成功しなかった認証試みの回数が予め設定された数を超えた場合、ユーザは、ＶＳＩＭサーバ１０２によってログオフされることができる（ステップ２６９）。他の場合は、ユーザは、再び認証を試みるように促されることができる（ステップ２６６）。代替実施形態では、本方法は単に認証試みの回数を無制限に許すことができ、その場合、カウンタ開始ステップ２６４を実行する必要がない、またはステップ２６５のように行われた試みの回数が多すぎるかどうかを判断する必要がない。
【００３２】
ＶＳＩＭサーバ１０２は、ユーザが、図２に示されたようなアカウント作成プロセス、または図３に示されたようなアカウントアクセスプロセスの対象とされるべきかどうかを判断するようにソフトウェアを用いて構成されることができる。たとえば、図４は、アカウント初期設定手順、ならびにバックアップ／復元／変更手順の両方を組み込むＶＳＩＭシステムに実装される一実施形態方法を示す。上記のように、モバイルハンドセットの電源投入、あるいはユーザまたはサービスプロバイダによって予め設定された他の間隔に応じて、モバイルハンドセットは、セルラー電話ネットワークを介したＶＳＩＭサーバ１０２への通信リンクを確立する（ステップ２５０）。通信リンクが確立されると、ハンドセットはＶＳＩＭサーバ１０２にログインするプロセスを開始する（ステップ２５１）。ログインプロセスの一部として、ユーザは、ハンドセットキーボードを介してユーザアカウント情報を入力するように促されることができる（ステップ２５２）。この情報は、モバイルハンドセットに関連付けられた電話番号がユーザアカウント名として使用される場合、またはハンドセットがユーザアカウント情報を自動的に与えるように構成された場合などでは、自動的に与えられることができる。次いで、ＶＳＩＭサーバ１０２は、ユーザアカウント名が新規であるか、またはデータベース中にすでに存在するかどうかを判断するために、受信したアカウント情報を使用する（ステップ２５３）。これを行うために、ＶＳＩＭプロセッサは、ＶＳＩＭデータベース１０４に記憶された既存のユーザアカウントファイル名の探索および取出し動作を単に実行することができる。ユーザアカウントがデータベース中に見つからなかった場合、ユーザは新規であると判断され、サーバは、図２を参照しながら上記でより詳細に説明した新規アカウント作成ステップ２５４、２５５および２５６を実行する。新規ユーザアカウントが確立され、認証証明が記憶されると、新規ユーザはＶＳＩＭサーバ１０２を介したＶＳＩＭデータベース１０４へのアクセスを与えられる（ステップ２６０）
ユーザアカウント名が新規ではないと判断された場合、図３を参照しながら上述したステップ２６２およびステップ２６３において、ユーザが認証される。ユーザが認証された場合、ユーザは、ＶＳＩＭサーバ１０２を介したＶＳＩＭデータベース１０４へのアクセスを与えられる（ステップ２６０）。ユーザが認証されなかった場合、サーバは図３を参照しながら上述したステップ２６４、２６５、２６６、２６９の条件付き再試行プロセスを開始する。
【００３３】
図５は、モバイルハンドセット１０１がＶＳＩＭサーバ１０２へのアクセスを要求するとき使用される機器およびコンポーネントのブロック図である。図示のように、ハンドセット１０１は、内部メモリ１０５と、キーパッド１０９と、（含まれる場合）生体センサ１１０と、ディスプレイ１１１と、アンテナ１２０に接続された送信機／受信機ユニット１０８とに結合されたプロセッサ１０７を含む。ＶＳＩＭサーバ１０２は、有線または光ファイバデータリンク１１９を介してセルラー電話ネットワーク１２２に接続するためのネットワークインターフェース回路１１２、および／または有線または光ファイバデータリンク１２４を介してインターネット１２３に接続するためのインターネットインターフェース回路１１８を含む。本明細書で説明する実施形態は、セルラー電話ネットワーク１２２およびネットワークインターフェース回路１１２を介したモバイルハンドセット１０１とＶＳＩＭサーバ１０２との間の通信リンクを利用するが、モバイルハンドセット１０１は、インターネット１２４およびインターネットインターフェース回路１１８を介したコンピュータ１２３とのローカル接続を介してＶＳＩＭサーバ１０２に接続することもできる。たとえば、モバイルデバイスは、インターネット１２４に接続されたコンピュータ１２３にＵＳＢケーブル（図示せず）によって結合されることができ、コンピュータおよびモバイルデバイスは、データのダウンロードおよびアップロードをセルラー電話ネットワークにアクセスすることなしにインターネットを介して実施することを可能にするためのソフトウェアを有して構成されることができる。ＶＳＩＭサーバ１０２は、サーバとして機能し、本明細書で説明する様々な実施形態のサービスを与えるためのソフトウェアを有して構成されたプロセッサをも含む。ＶＳＩＭサーバ１０２に接続されているのは、ディスクドライブのバンクの形態でなどのＶＳＩＭデータベース１０４であることができる。別個の認証サーバ１０３が採用される場合、このサーバも、本明細書で説明する様々な実施形態の認証サービスを与えるためのソフトウェアを有して構成されたプロセッサ１１５と、認証データベース１０６とを含むだろう。
【００３４】
ユーザの個人データをバックアップするか、復元するか、または変更するかどうかにかかわらず、ユーザがＶＳＩＭサーバ１０２にアクセスすることを望むとき、モバイルハンドセット１０１は、セルラー電話ネットワーク１２２を介してＶＳＩＭサーバ１０２との通信リンクを確立する。このデータリンクは、モバイルハンドセット１０１中のトランシーバユニット１０８とローカルセルホンタワー１２１との間をワイヤレスに伝わり、次いで、ネットワークインターフェース回路１１２を通してＶＳＩＭサーバ１０２に接続する前に、電話回線および／または有線または光ファイバ回線１１９を介して伝わる。モバイルハンドセット１０１とＶＳＩＭサーバ１０２との間の通信リンクが確立された後、ステップ２５１を参照しながら上で説明したように、ユーザはＶＳＩＭサーバにログインする。ＶＳＩＭサーバ１０２へのログインの要求は、ユーザがモバイルハンドセット１０１上の専用ボタン（図示せず）を押すことによって、またはディスプレイ１１１上に与えられたメニューオプションに応答するなどの英数字キーパッド１０９を介して行われることができる。ＶＳＩＭサーバ１０２にログオンするプロセスでは、ユーザまたはハンドセットは、英数字キーパッド１０９を介して達成されることができる、アカウント名を与える（ステップ２５２）。アカウント名は、確立したワイヤレス通信リンクを介して送信および受信される。サーバプロセッサ１１３は、受信されたアカウント名が既存のアカウントであるか、または新規ユーザが新規アカウントの初期設定を試みているのかを判断するために、そのアカウント名を使用してＶＳＩＭデータベース１０４のデータベース検索を実行する（ステップ２５３）。
【００３５】
プロセッサ１１３が、新規ユーザがＶＳＩＭサーバ１０２と交信したと判断した場合、プロセッサ１１３は、ＶＳＩＭデータベース１０４中に新規ユーザアカウントファイルを作成するために、上記の新規アカウント作成手順を実行する。認証証明を入力するようにユーザに促すために、プロセッサ１１３は、ディスプレイ１１１上にユーザインターフェースを提示するように、セルラー電話ネットワークを介してモバイルハンドセットに命令を送信することができる。あるいは、プロセッサ１１３は、ディスプレイ１１１上に提示してユーザに認証証明を入力するように要求するための画像を生成することができる。ユーザは、ディスプレイ１１１に応答して英数字キーパッド１０９を介して、生体センサ１１０によって、または両方の組合せによって、認証証明を入力することができる。認証データベース１０６に記憶するために、認証証明はＶＳＩＭサーバ１０２に返信される（ステップ２５２）。初期設定手順が完了した後、新規ユーザは、図３を参照しながら上述したステップ２６０およびステップ２６１を実行することによって、モバイルハンドセット内部メモリ１０５に記憶された個人データをバックアップするための、ＶＳＩＭサーバ１０２へのアクセスが許可される。
【００３６】
プロセッサ１１３が、ユーザアカウント名がすでに存在していると判断した場合、プロセッサ１１３は、ディスプレイ１１１上にユーザインターフェースを提示するようにモバイルハンドセットに命令を送信することによって認証証明を入力するようにユーザに促すだろう。あるいは、プロセッサ１１３は、ディスプレイ１１１上に提示してユーザに認証証明を入力するように要求するための画像を生成することができる。ユーザは、ディスプレイ１１１に応答して英数字キーパッド１０９を介して、生体センサ１１０によって、または両方の組合せによって、認証証明を入力することができる。認証データベース１０６に記憶された認証証明との比較のために、認証証明はＶＳＩＭサーバ１０２に返信されるこができる（ステップ２６３）。認証証明は、認証サーバプロセッサ１１５によって検証されることができる。あるいは、ＶＳＩＭサーバプロセッサ１１２が、ソフトウェアによって、認証機能を実行するようにも構成されている場合、ステップ２６３の認証検証は、そのプロセッサによって実行されることができる。ユーザによって入力された認証証明が認証データベースに以前に記憶された認証証明と一致した場合、ユーザはＶＳＩＭサーバ１０２を介したＶＳＩＭデータベース１０４へのアクセスを許可される（ステップ２６０）。ＶＳＩＭデータベース１０４へのアクセスが許可されると、プロセッサ１１３はＶＳＩＭデータベース１０４内に記憶されたユーザアカウント名に関連付けられたファイルを引き出す。次いで、ユーザは、ハンドセットディスプレイ１１１上のユーザインターフェースを用いて、ユーザアカウント名に関連付けられたＶＳＩＭデータベース１０４内に記憶された個人データをバックアップ、復元、または変更する能力が提示される（ステップ２６１）。バックアップ／復元／変更手順（ステップ２６１）が完了した後、ユーザはＶＳＩＭサーバ１０２およびＶＳＩＭデータベース１０４をログオフする（ステップ２６９）。
【００３７】
認証証明が証明されなかった（ステップ２６３）場合、ユーザは、ＶＳＩＭサーバ１０２およびＶＳＩＭデータベース１０４へのアクセスを拒否される。成功しなかった認証試みの回数を記録するために認証サーバプロセッサ１１３（またはＶＳＩＭプロセッサ１１２）はプロセッサＲＡＭ１１８または１１４に記憶されたカウンタの開始をセットすることができる（ステップ２６４）。カウンタが開始された後、成功しなかった試みの回数が多すぎるかどうかを判断するために、プロセッサ１１３（１１２）はカウンタ値を予め設定されたしきい値数と比較することができる。成功しなかった試みの回数が多すぎた場合、プロセッサはステップ２６９のようにユーザをログオフすることができる。ユーザが行った成功しなかった試みの回数が多すぎなかった場合、ステップ２６２のように、ユーザは、再び認証証明を入力するように促されることができる。代替実施形態では、ユーザは、成功しなかった試みの回数を無制限に許されることができる。
【００３８】
一実施形態は、ユーザに、モバイルハンドセット内部メモリ１０５に記憶された個人データに変更があるといつでも、個人データをバックアップすることを許す。したがって、ユーザがモバイルハンドセット１０１に記憶された個人データを追加、削除、または変更する場合、ＶＳＩＭデータベース１０４に記憶された個人データファイルを更新するために、モバイルハンドセットプロセッサ１０７は、変更を入力するプロセス中に内部メモリ１０５にフラグをセットし、次いで該フラグに応答して、上記のバックアッププロセスを自動的に開始することができる。あるいは、ユーザは、週に一回、月に一回、年に一回、電源投入サイクル毎、再充電サイクル毎など、一定の間隔で、個人データバックアップ動作を実行するように促されることができる。これを達成するために、プロセッサは現在の日付を内部メモリ１０５に記憶された最後の更新イベントの日付と比較（たとえば、減算）して、経過時間が、内部メモリ１０５に同じく記憶された間隔値を超えるかどうかを判断することができる。
【００３９】
一実施形態では、ユーザが自身のモバイルハンドセット機器を更新するか、または自身のモバイルハンドセットを遺失したきに行われる、古いモバイルハンドセットから新たなモバイルハンドセットにユーザの個人データのすべてを復元することをユーザに許す。そのような場合、ユーザはＶＳＩＭサーバ１０２および認証サーバ１０３にすでに知られているので、新規ユーザアカウントを作成する必要がない。個人データを新たなハンドヘルドにロードするために、ユーザは、図３を参照しながら上述したバックアップ手順を単に実行して、古いモバイルハンドセットの内部メモリ１０５に記憶された個人データをＶＳＩＭデータベース１０４にバックアップする。次に、ユーザは、新たなモバイルハンドセットを用いてＶＳＩＭサーバ１０２にログインし、復元手順を開始する。古いハンドセットの内部メモリに一度記憶された個人データは、ＶＳＩＭデータベース１０４から新たなモバイルハンドセット１０１の内部メモリ１０５にダウンロードされる。
【００４０】
別の実施形態は、自身の個人データおよび設定で、任意のモバイルハンドセットをカスタマイズすることをユーザに許す。たとえば、モバイルハンドセットをレンタルした海外旅行をしているユーザ、および使い捨てのモバイルハンドセットのユーザは、自身の個人データおよびカスタマイゼーション選択をすぐに利用することができる。ＶＳＩＭサーバ１０２との通信リンクを確立し、ＶＳＩＭサーバにログインをすることによって、ユーザは、自身のアカウントにアクセスし、レンタルした、または使い捨てのモバイルハンドセット１０１上で自身の認証証明を検証することができる。復元手順を実行することによって、ユーザは、ＶＳＩＭデータベース１０４に記憶された自身の個人データを、レンタルした、または使い捨てのモバイルハンドセット１０１の内部メモリ１０５にダウンロードすることができる。ユーザがレンタルした、または使い捨てのモバイルハンドセットの使用を終えた後、情報を失うことなしに、データがハンドセット内部メモリ１０５から削除されることができる。したがって、ＶＳＩＭサービスは、情報を再入力し、個人選好オプションを用いてハンドセットを再プログラムするために必要とされる時間または労力なしに、一時的なハンドセット上の自身のセルホン個人データを利用することをユーザに可能にする。
【００４１】
同様の方法で、様々な実施形態は、複数のユーザにユーザ自身のＶＳＩＭアカウントを利用して、単一のモバイルハンドセットのタイムシェアリングを可能にする。たとえば、複数のユーザが単一のモバイルハンドセットを共有している場合、各ユーザはユーザ自身のＶＳＩＭサービスアカウントから自身の個人データをダウンロードすることによって、ユーザの使用中にモバイルハンドセットをカスタマイズすることができる。個人データはセルホンプロビジョニング情報を含むことができるので、電話使用料は各ユーザアカウントに課金されることができる。同様に、ＶＳＩＭサービスアカウントをもつユーザは、任意のモバイルハンドセットを借り、ＶＳＩＭサーバ１０２からプロビジョニング情報を含むユーザの個人データをダウンロードし、次いで、借りたハンドセットをユーザ自身のハンドセットであるかのように使用することができる。借りられたハンドセットは、現在のユーザに、そのユーザの電話帳および他の個人データへのアクセスを与え、借りられたモバイルハンドセットの使用のワイヤレス課金がユーザのアカウントに適切に請求される。借りられた電話が返却されると、持主の個人データはＶＳＩＭサーバ１０２からその電話に復元されることができ、その後は、持主は、彼／彼女のアカウントの電話上の設定の変更、または請求を見ることはないだろう。
【００４２】
ＶＳＩＭ機能は、新たな電話の購入者がセルラー電話ストアを訪問する必要がなく、モバイルハンドセット機器を販売およびプロビジョニングする新たな方法を可能にする。プロビジョニング情報がＶＳＩＭサーバ１０２およびハンドセットの内部メモリ１０５に記憶されているので、ハンドセットは、単にＶＳＩＭサーバ１０２を用いてアカウントをセットアップし、次いで復元手順を実行して新たなプロビジョニング情報をハンドセット１０１上にロードすることによってプロビジョニングされることができる。このようにして、ユーザは、セルラー電話ストアまたは他のプロビジョニングセンタを訪問する必要なしに、誰かまたはストアから電話を購入し、ユーザの新たなハンドセットをプロビジョニングすることができる。
【００４３】
図６および図７は、新たなモバイルハンドセット１０１のフレキシブルなプロビジョニングを提供するＶＳＩＭシステムの一実施形態を示す。この実施形態は、（インターネットなどを介して有線またはワイヤレスに）ＶＳＩＭサーバ１０２と通信するオペレータプロビジョニングセンタ（Operator Provisioning Center）１４０を含む。セルラー電話サービスプロバイダまたはサードパーティによって作動されているオペレータプロビジョニングセンタ（Operator Provisioning Center：ＯＰＣ）１４０は、サービスプロバイダのネットワーク上に新たなモバイルハンドセットをプロビジョニングするために、利用可能な電話番号および必要なプロビジョニングデータを含む情報を維持する。たとえば、ＣＤＭＡベースのネットワークでは、この情報は、ＣＤＭＡ  ＰＲＬリスト（CDMA PRL List）、ＮＡＭ  ＩＤ、現在のＳＩＤ（Current SID）、ＳＩＤリスト（SID List）などを含むことができる。ＣＤＭＡプロビジョニング情報への言及は、限定するためのものではなく、本発明または特許請求の範囲の範囲を狭くするものと解釈されるべきではない。ＧＳＭ、ＵＭＴＳ、または等価ネットワークに関係する代わりのプロビジョニング情報は、ＯＰＣ１４０中に含められることができる。
【００４４】
本実施形態は、上記の図４（ステップ２５０〜２５３）を参照しながら上述したＶＳＩＭシステムの動作と同様に動作するが、ＯＰＣにアクセスすることによって（ステップ２５８）リモートで電話をプロビジョニングするためのステップを含む。図６に示されるように、ＶＳＩＭプロセッサ１１３が、ユーザが新規ユーザであると判断した場合、ユーザは、新規アカウントを作成し（ステップ２５４）、認証証明を入力する（ステップ２５５）ように促され、認証証明が認証データベース１０６に記憶される（ステップ２５６）。認証証明が認証データベース１０６に記憶されると、ＶＳＩＭプロセッサ１１３は新規プロビジョニング情報を引き出すためにＯＰＣ１４０にアクセスする（ステップ２５８）。新規ユーザはいくつかの利用可能な電話番号の中からの選択が与えられ、電話番号が選択されると、その番号が新規ユーザに割り当てられ、関連するプロビジョニング情報がＶＳＩＭデータベース１０４に記憶されたユーザアカウント個人データファイルに追加される。新規プロビジョニング情報がＯＰＣ１４０から引き出された後、復元手順を開始することなどによって、プロビジョニング情報がセルラー電話ネットワークを介してＶＳＩＭサーバ１０２からモバイルハンドセット１０１に送信される（ステップ２５９）。モバイルハンドセットはステップ２５９の後までプロビジョニング情報を有しないであろう故に、ＶＳＩＭサーバ１０２と通信することをモバイルハンドセットに許す、最小または初期設定のみのプロビジョニング情報は、それが記憶された時にモバイルハンドセット１０１に記憶されなければならない。ステップ２５９において完全なプロビジョニング情報が受信されるまで、モバイルハンドセット１０１は、指定されたＶＳＩＭサーバ１０２とのみ通信することを可能にする情報を有して、製造中にまたは販売時に、プロビジョニングされる。あるいは、モバイルハンドセットは、いくつかのＶＳＩＭサービスプロバイダに登録することを可能にするために十分な情報を用いて製造中に、または販売時にプロビジョニングされ、それによって、ユーザに、ユーザが選択したストアから電話を購入し、ユーザが選択したＶＳＩＭサービスプロバイダからＶＳＩＭサービスを購入する柔軟性を与えることができる。
【００４５】
ＶＳＩＭプロセッサ１１３が、ユーザがＶＳＩＭデータベース１０４に記憶された既存のユーザアカウントをもつ既存のユーザであると判断した場合、ユーザは、ユーザの認証証明を入力する（ステップ２６２）ように促されるだろう。認証証明がＶＳＩＭサーバ１０２を介して受信されると、ユーザは、入力された認証証明が認証データベース１０６内に記憶された認証証明と一致するかどうかを検証されるだろう。証明された場合、ユーザは、ユーザの機器を新たなモバイルハンドセット１０１に更新したのかどうかを尋ねられることができる（ステップ２６７）。ユーザが自身のモバイルハンドセット１０１を更新した場合、新たなモバイルハンドセットは、新たなモバイルハンドセットによって必要とされる完全なプロビジョニング情報を引き出すために、ＯＰＣ１４０にアクセスすることができる。したがって、ＯＰＣ１４０がアクセスされ、プロビジョニング情報が新たなモバイルハンドセット１０１に送信さけるだろう（ステップ２５９）。モバイルハンドセット１０１が完全にプロビジョニングされると（またはプロビジョニング情報がダウンロードされると同時に）、ステップ２６０においてＶＳＩＭデータベース１０４は、そこに記憶されたユーザの個人データのすべてを新たなモバイルハンドセット１０１に復元するために、アクセスされることができる。個人データが復元された後、ユーザはＶＳＩＭサーバ１０２をログオフすることができる。
【００４６】
代わりに、ユーザが自身のモバイルハンドセット１０１機器を新たな電話に更新しなかった場合、認証プロセスが完了し、ユーザが証明された（ステップ２６３）後、モバイルハンドセット１０１はＶＳＩＭサーバ１０２へのアクセスを許可されて（ステップ２６０）、個人データをバックアップ、復元、または変更する（ステップ２６１）。
【００４７】
図７を参照して、図５を参照しながら上述した同じシステム要素が、オペレータプロビジョニングセンタ（Operator Provisioning Center）１４０（ＯＰＣ）におけるサーバおよびデータベースを加えて、いかにモバイルハンドセットのフレキシブルなプロビジョニングに関与するかについて説明する。ＯＰＣ１４０は、サービスプロバイダのセルラー電話ネットワーク１２２の一部であるか、そこにリンクされることができる。このセンタは、インターネットＷＷＷなど、ＶＳＩＭサーバ１０２によってアクセス可能なネットワークに結合されたサーバを有するだろう。サーバは、利用可能な電話番号および関連するプロビジョニング情報の記録をそのメモリ内に、または接続されたデータベース中に含むだろう。
【００４８】
ＶＳＩＭ機能はまた、特定のセルラーサービスプロバイダに縛られない、モバイルハンドセット機器を販売し、プロビジョニングする新たな方法を可能にする。図８および図９は、ユーザが、ワイヤレスサービスプロバイダと取り引きすることなしに新たなモバイルハンドセットを購入し、プロビジョニングすることを可能にする一実施形態を示す。従来、プロビジョニング情報は、電話にプログラムされるか、またはＳＩＭカードに与えられなければならなかったので、モバイルハンドセットはサービスプロバイダから購入されなければならなかった。ローミングなしにサービスプロバイダのワイヤレスネットワーク上でのみ動作することができるように、サービスプロバイダは購入されたモバイルハンドセットをプロビジョニングした。これは、ユーザをその１つのサービスプロバイダに固定した。また、ユーザはサービスプロバイダのプロビジョニングセンタを訪問するために時間を割き、ユーザの電話をプログラムしてもらうのを待つ必要があった。
【００４９】
図８および図９に示される実施形態では、ジェネリック（すなわち、特定のサービスプロバイダに属しない）モバイルハンドセットは、特定のサービスプロバイダに固定されることなしに任意のロケーションにおいて、または特定のサービスプロバイダに属さないロケーションでさえ購入されることができる。ジェネリックモバイルハンドセット１０１は、ＶＳＩＭサーバ１０２とセルラー電話通信リンクを確立することを可能にする十分な情報を内部メモリ内に記憶している。ＶＳＩＭサーバ１０２は、いずれか１つのサービスプロバイダに属さない独立したエンティティによって作動されることができる。先行する実施形態と同様に、完全なプロビジョニング情報が受信されるまで、モバイルハンドセット１０１は、指定されたＶＳＩＭサーバ１０２とのみ通信することを可能にする十分な情報を有して、製造中にまたは販売時に、プロビジョニングされることができる。あるいは、モバイルハンドセットは、いくつかのＶＳＩＭサービスプロバイダのいずれかに登録することを可能にするのに十分な情報を有して、製造中にまたは販売時に、プロビジョニングされ、それによって、ユーザが選択したストアから電話を購入し、ユーザが選択したＶＳＩＭサービスプロバイダからＶＳＩＭサービスを購入し、次いで、ＶＳＩＭサービスプロバイダによって提供されるオプションからユーザが選択したセルラーサービスプロバイダを選択する柔軟性をユーザに与えることができる。ＶＳＩＭサービスプロバイダは、別個の事業、またはエリア中のすべてのセルラーサービスプロバイダによって所有される共同型など、いずれか１つのセルラーサービスプロバイダとは別個の独立した事業とすることができる。
【００５０】
この実施形態は、図６および図７を参照しながら上述したＶＳＩＭシステムの動作と同様の方法で動作するが、リモートで電話をプロビジョニングするためにサービスプロバイダを選択する（ステップ２５７）ためのさらなるステップを含む。この選択を可能にするために、ＶＳＩＭサービスプロバイダ（ＶＳＩＭサーバ１０２のオペレータ）は、再販関係またはＶＳＩＭサービス加入者に再販するためのいくつかの電話番号および関連するプロビジョニング情報の購入など、いくつかのセルラーサービスプロバイダとの関係を確立することができる。この組み合わせは、ユーザに、直接特定のセルラーサービスプロバイダとではなく、ＶＳＩＭサービスプロバイダとサービス契約を確立することを許す。
【００５１】
図９を参照すると、ＶＳＩＭサーバ１０２は、利用可能なセルホン電話番号、および関係を有するセルラーサービスプロバイダから利用可能なそれらの関連するプロビジョニング情報のデータベースをさらに含むか、またはそれに接続される。電話番号はまた、提供しているセルラーサービスプロバイダによって提供される、様々なサービスおよび料金プランとともに提供されることができる。ＶＳＩＭサーバ１０２および／または利用可能な電話番号のデータベースは、ユーザ登録情報をＯＰＣに与え、追加の電話および関連するプロビジョニング情報を電話番号データベースに与えることができるために、ネットワークまたはインターネットなどによって、セルラーサービスプロバイダのＯＰＣ１４０、１４１にリンクされる。他の場合は、システムのアーキテクチャは、図５および図７を参照しながら前述した他の実施形態の場合と同じである。
【００５２】
図８を参照すると、ＶＳＩＭプロセッサ１１３が、ユーザは新規である（すなわち、ＶＳＩＭサービスプロバイダとのアカウントを有しない）と判断した場合、ユーザは、新規アカウントを作成し（ステップ２５４）、認証証明を入力する（ステップ２５５）ように促され、認証証明が認証データベース１０６に記憶される（ステップ２５６）。認証証明が認証データベース１０６に記憶されると、ＶＳＩＭプロセッサ１１３は、ユーザがサービス契約を実行する相手としてどのサービスプロバイダを選ぶかを選択するようにユーザに促す（ステップ２５７）。ＶＳＩＭプロセッサ１１３は、ハンドヘルドのディスプレイ１１１上に表示され、利用可能なサービスプロバイダ、および随意に、そこから選択するサービスプランおよび電話番号をユーザに通知する、データまたは画像を送信することができる。この情報は、異なるＯＰＣ１４０、１４１によって与えられた情報に基づいて電話番号データベース１２６からアクセスされる。ディスプレイ１１１上に提示されたメニューオプションに応答して新たなハンドヘルドデバイスで選択することなどによって、ユーザが特定のサービスプロバイダとのサービス契約を実行することを決めたとき、選択された利用可能な電話番号、およびサービスプロバイダのその関連するプロビジョニング情報を含んでいるファイルが、ＶＳＩＭプロセッサ１１３によって、電話番号データベース１２６から引き出される（２５８）。あるいは、ＶＳＩＭサーバ１０２は、選択されたサービスプロバイダのＯＰＣ１４０または１４１にアクセスし、プロビジョニング情報のダウンロードを要求することができる。次いで、ＶＳＩＭサーバ１０２は、上記の復元手順を開始することなどによって、プロビジョニング情報をモバイルハンドセットに送信する（ステップ２５９）。
【００５３】
ＶＳＩＭプロセッサ１１３は、ユーザが、ＶＳＩＭデータベース１０４に記憶された既存のユーザアカウントをもつ既存のユーザであると判断した場合、ユーザは、ユーザの認証証明を入力する（ステップ２６２）ように促されるだろう。認証証明がＶＳＩＭサーバ１０２を介して受信されると、ユーザは、入力された認証証明が認証データベース１０６内に記憶された認証証明と一致するかどうかを検証されるだろう。証明されると、ユーザは、ユーザのモバイルハンドセット１０１機器を更新したのかどうか、および／またはユーザが自身の現在のサービスプロバイダを変更することを望むかどうか（ステップ２６８）を尋ねられることができる。いずれかまたは両方の質問に対する答えがはいの場合、ＶＳＩＭプロセッサ１１３は、ユーザがサービス契約を実行する相手としてどのサービスプロバイダを選ぶかを選択するようにユーザに促す（ステップ２５７）。
【００５４】
上記のように、ＶＳＩＭプロセッサ１１３は、ハンドヘルドのディスプレイ１１１上に表示され、利用可能なサービスプロバイダ、および随意に、そこから選択するサービスプランおよび電話番号をユーザに通知する、データまたは画像を送信することができる。この情報は、異なるＯＰＣ１４０、１４１によって与えられた情報に基づいて電話番号データベース１２６からアクセスされる。ディスプレイ１１１上に提示されたメニューオプションに応答して新たなハンドヘルドデバイスで選択を行うなど、ユーザが特定のサービスプロバイダとのサービス契約を実行することに決めたとき、選択された利用可能な電話番号、およびサービスプロバイダのその関連するプロビジョニング情報を含んでいるファイルが、ＶＳＩＭプロセッサ１１３によって、電話番号データベース１２６から引き出される（２５８）。あるいは、ＶＳＩＭサーバ１０２は、選択されたサービスプロバイダのＯＰＣ１４０または１４１にアクセスし、プロビジョニング情報のダウンロードを要求することができる。次いで、ＶＳＩＭサーバ１０２は、上記の復元手順を開始することなどによって、プロビジョニング情報をモバイルハンドセットに送信する（ステップ２５９）。
【００５５】
ユーザが自身のモバイルハンドセット１０１機器を更新したが、同じサービスプロバイダを使用することを決めた場合、ユーザは、以前に使用したのと同じサービスプロバイダを単に選択する。ＶＳＩＭサーバ１０２は、完全なプロビジョニング情報を引き出すために、ＯＰＣ１４０、１４１にアクセスすることができる。したがって、ＯＰＣ１４０がアクセスされ、プロビジョニング情報が新たなモバイルハンドセット１０１に送信されるだろう（ステップ２５９）。モバイルハンドセット１０１が完全にプロビジョニングされると、そこに記憶されたユーザの個人データのすべてを新たなモバイルハンドセット１０１に復元するために、ＶＳＩＭデータベース１０４がステップ２６０においてアクセスされることができる。個人データが復元された後、ユーザはＶＳＩＭサーバ１０２をログオフすることができる。
【００５６】
ユーザが同じサービスプロバイダを使用することに決めた、および／またはモバイルハンドセット１０１機器を新たな電話に更新しなかった場合、認証プロセスが完了し、ユーザが証明された（ステップ２６３）後、モバイルハンドセット１０１はＶＳＩＭサーバ１０２へのアクセスが許可されて（ステップ２６０）、個人データをバックアップ、復元、または変更する（ステップ２６１）。
【００５７】
様々な実施形態を通して、モバイルハンドセット１０１を遺失したユーザは、それ以上不正な使用を防ぐために、単にＶＳＩＭサーバにログインして、自身のアカウントを非活動化することができる。ログイン手順は、適切なアカウント名および認証証明が与えられる限り、任意のモバイルハンドセットから行わることができる。あるいは、ユーザは、適切なアカウント名および認証証明を与えることによって、セキュアなインターネットリンクを介したインターネットへのアクセスを用いて、コンピュータを介してＶＳＩＭサーバにログインすることができる。
【００５８】
ＶＳＩＭサーバ１０２からダウンロードできるプロビジョニングおよび個人データの機密性により、ユーザを認証するための追加のプロビジョニングが望ましい。パスワードはあるレベルの保護を与えるが、パスワードは盗むまたは推測することがしばしば容易である。生体認証は、様々な実施形態において使用するのに有利であることができる、認証のよりロバストな形態を与える。生体認証の特定の形態は、指紋イメージングである。コンパクトなセンサの開発で、現在この機能をセルラー電話に取り付けることができる。図１０は、指紋スキャナ１１０を有するモバイルハンドセット１０１を示す。ユーザは、単にスキャナ１１０上で指をスライドさせることによって、認証情報を入力することができる。図５を参照すると、上述のセルラー電話ネットワークを介して認証サーバ１０３に指紋データが送信されることができるように、生体スキャナ１１０はハンドセットプロセッサ１０７に結合される。
【００５９】
図２、図３、図４、図６、および図８のイベントを実装するために使用されるハードウェアは、上記のイベントに対応する方法ステップを実行するためのものである命令のセットを実行するように構成された処理要素およびメモリ要素とすることができる。あるいは、いくつかのイベントは、所与の機能に固有の回路によって実行されることができる。
【００６０】
当業者は、本明細書に開示された実施形態に関連して説明された様々な例示的な論理ブロック、モジュール、回路、およびアルゴリズムステップが、電子ハードウェア、コンピュータソフトウェア、または両者の組合せとして実装されることができることを諒解するだろう。ハードウェアとソフトウェアのこの互換性を明確に示すために、様々な例示的なコンポーネント、ブロック、モジュール、回路、およびステップは、上記では概してそれらの機能に関して説明された。そのような機能がハードウェアとして実装されるか、ソフトウェアとして実装されるかは、特定の適用例および全体的なシステムに課される設計制約に依存する。当業者は、説明された機能を特定の適用例ごとに様々な方法で実装することができるが、そのような実装の決定は、本発明の範囲からの逸脱を生じると解釈すべきではない。
【００６１】
本明細書で開示された実施形態に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェアコンポーネント、あるいは本明細書で説明された機能を実行するように設計されたそれらの任意の組合せを用いて実装または実行されることができる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装されることができる。
【００６２】
本明細書に開示された実施形態に関連して説明された方法またはアルゴリズムのステップは、ハードウェアで直接実施されるか、プロセッサによって実行されるソフトウェアモジュールで実施されるか、またはその２つの組合せで実施されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または当技術分野で知られている任意の他の形態の記憶媒体中に在ることができる。例示的な記憶媒体は、プロセッサが記憶媒体から情報を読み取り、記憶媒体に情報を書き込むことができるように、プロセッサに結合される。代替として、記憶媒体はプロセッサに一体化されることができる。プロセッサおよび記憶媒体はＡＳＩＣ中に在ることができる。ＡＳＩＣは、ユーザ端末内に在ることができる。代替として、プロセッサおよび記憶媒体は、ユーザ端末内に個別コンポーネントとして在ることもできる。
【００６３】
本発明を、ある例示的な実施形態を参照して開示されたが、添付の特許請求の範囲において定義される、本発明の領域および範囲を逸脱することなく、多数の変更形態、改変形態、および説明された実施形態への変更が可能である。したがって、本発明は説明された実施形態に限定されないが、以下の特許請求の範囲の言葉およびその均等物によって定義される全範囲を有するものとする。
【図１】
2011509575.tif 000003
【図２】
2011509575.tif 000004
【図３】
2011509575.tif 000005
【図４】
2011509575.tif 000006
【図５】
2011509575.tif 000007
【図６】
2011509575.tif 000008
【図７】
2011509575.tif 000009
【図８】
2011509575.tif 000010
【図９】
2011509575.tif 000011
【図１０】
2011509575.tif 000012
【手続補正書】
【提出日】平成22年9月30日(2010.9.30)
【手続補正１】
【補正対象書類名】明細書
【補正対象項目名】０００８
【補正方法】変更
【補正の内容】
【０００８】
【図１】図１は、仮想ＳＩＭ（ＶＳＩＭ）機能を可能にする一実施形態システムを示すシステム図である。
【図２】図２は、ＶＳＩＭ機能を初期設定するための一実施形態方法のステップを示すプロセス流れ図である。
【図３】図３は、個人データをバックアップ／復元／変更するための一実施形態方法のステップを示すプロセス流れ図である。
【図４】図４は、モバイルハンドセットが個人データサーバへのアクセスを要求することができる一実施形態方法のステップを示すプロセス流れ図である。
【図５】図５は、ＶＳＩＭ個人データサーバを使用して個人データをバックアップおよび修復する能力をユーザに提供するモバイル通信システム実施形態を示すシステム図である。
【図６】図６は、新たなモバイルハンドセットプロビジョニングおよびＶＳＩＭ機能を提供するシステム実施形態を示すプロセス流れ図である。
【図７】図７は、仮想ＳＩＭ機能を使用して新たなモバイルハンドセットをプロビジョニングする能力をユーザに提供するモバイル通信システム実施形態を示すシステム図である。
【図８】図８は、複数のサービスプロバイダから新たなモバイルハンドセットプロビジョニングを提供するシステム実施形態を示すプロセス流れ図である。
【図９】図９は、ＶＳＩＭ機能を使用して様々なサービスプロバイダから新たなモバイルハンドセットをプロビジョニングする能力をユーザに提供するモバイル通信システム実施形態を示すシステム図である。
【図１０】図１０は、ユーザ認証のためのバイオセンサをもつモバイルハンドセットの斜視図である。
【手続補正２】
【補正対象書類名】明細書
【補正対象項目名】００２１
【補正方法】変更
【補正の内容】
【００２１】
図２は、ＶＳＩＭサーバ１０２上にＶＳＩＭアカウントを作成し、個人データをアップロードするためのプロセスの大要を示す。ＶＳＩＭサービスユーザは、ネットワークサービスプロバイダ、またはサードパーティＶＳＩＭサービスプロバイダによって作動されているＶＳＩＭサーバ１０２上にＶＳＩＭアカウントを最初にセットアップしなければならない。そうするために、ユーザはＶＳＩＭサーバ１０２にログインする（ステップ２５１）。これは、セルラー電話ネットワーク１２２上でモバイルハンドセット１０１を介して、またはインターネット１２４およびインターネットインターフェース１１８を介してＶＳＩＭサーバ１０２に接続されたコンピュータ１２３を使用することによって達成されることができる。ＳＳＬまたは他のセキュアなリンクなど、データセキュリティ対策が、ユーザのアカウントおよび認証情報を傍受から保護するために使用されることができる。ＶＳＩＭサーバ１０２にログオンすると、ユーザはユーザアカウントを作成する（ステップ２５４）。そのようなアカウントは、個人情報をウェブページに、またはハンドセット自体に入力することによって作成されることができる。その過程で、ユーザは、登録される特定のハンドセット１０１を関連付ける、任意であるが、一意のアカウント名であるアカウント名（またはユーザ名）を作成することができる。たとえば、モバイルハンドセットの電話番号がアカウント名として使用されることができる。ユーザはまた、ＶＳＩＭユーザアカウントに関連付けられるパスワードを入力することができる。ユーザの個人情報およびユーザアカウント名は、ＶＳＩＭデータベース１０４中にファイルとして記憶される。
【手続補正３】
【補正対象書類名】明細書
【補正対象項目名】００２６
【補正方法】変更
【補正の内容】
【００２６】
ユーザアカウントがＶＳＩＭサーバ１０２において確立され、適切な認証証明が認証サーバ１０３に記憶されると、ＶＳＩＭサーバ１０２を介してモバイルハンドセットメモリ１０５からＶＳＩＭデータベースに個人データが転送されることができる（ステップ２６１）。ユーザアカウントと認証証明とがコンピュータを介してセキュアなインターネット接続を通って送信される例では、ユーザは、内部メモリ１０５からＶＳＩＭデータベース１０２に個人データを転送するために、セルラー電話ネットワークを介してＶＳＩＭサーバ１０２にハンドセット１０１をリンクすることによって、以後の時間に、以下で説明するアップロード／バックアップステップを実行する必要があるだろう。転送された個人データは、ＶＳＩＭサーバ１０２によって、ユーザアカウントに関連付けられた、またはキーイングされたＶＳＩＭデータベース１０４内に配置されたファイルに記憶される。これは、モバイルハンドセットの内部メモリユニット１０５内に記憶されたネットワークプロビジョニングおよび個人データの外部ＶＳＩＭバックアップファイルを作成する。
【手続補正４】
【補正対象書類名】明細書
【補正対象項目名】００２９
【補正方法】変更
【補正の内容】
【００２９】
ＶＳＩＭサーバ１０２および／または認証サーバ１０３は、受信したユーザアカウントおよび認証証明データを解読し、（アカウントセットアップ手順ステップ２５２中に、認証サーバデータベース１０６に記憶された）ユーザアカウントに関連付けられた記憶された認証証明にアクセスする。ユーザを認証し、許可されたユーザがログインしようと試みているのか検証するために、受信した認証証明は記憶された認証証明と比較される（ステップ２６３）。認証証明が一致した場合、ユーザは認証され、ＶＳＩＭデータベース１０４内に記憶されたユーザアカウントファイルへのアクセスが許可される（ステップ２６０）。
【手続補正５】
【補正対象書類名】明細書
【補正対象項目名】００３３
【補正方法】変更
【補正の内容】
【００３３】
図５は、モバイルハンドセット１０１がＶＳＩＭサーバ１０２へのアクセスを要求するとき使用される機器およびコンポーネントのブロック図である。図示のように、ハンドセット１０１は、内部メモリ１０５と、キーパッド１０９と、（含まれる場合）生体センサ１１０と、ディスプレイ１１１と、アンテナ１２０に接続された送信機／受信機ユニット１０８とに結合されたプロセッサ１０７を含む。ＶＳＩＭサーバ１０２は、有線または光ファイバデータリンク１１９を介してセルラー電話ネットワーク１２２に接続するためのネットワークインターフェース回路１１２、および／または有線または光ファイバデータリンク１２５を介してインターネット１２４に接続するためのインターネットインターフェース回路１１８を含む。本明細書で説明する実施形態は、セルラー電話ネットワーク１２２およびネットワークインターフェース回路１１２を介したモバイルハンドセット１０１とＶＳＩＭサーバ１０２との間の通信リンクを利用するが、モバイルハンドセット１０１は、インターネット１２４およびインターネットインターフェース回路１１８を介したコンピュータ１２３とのローカル接続を介してＶＳＩＭサーバ１０２に接続することもできる。たとえば、モバイルデバイスは、インターネット１２４に接続されたコンピュータ１２３にＵＳＢケーブル（図示せず）によって結合されることができ、コンピュータおよびモバイルデバイスは、データのダウンロードおよびアップロードをセルラー電話ネットワークにアクセスすることなしにインターネットを介して実施することを可能にするためのソフトウェアを有して構成されることができる。ＶＳＩＭサーバ１０２は、サーバとして機能し、本明細書で説明する様々な実施形態のサービスを与えるためのソフトウェアを有して構成されたプロセッサをも含む。ＶＳＩＭサーバ１０２に接続されているのは、ディスクドライブのバンクの形態でなどのＶＳＩＭデータベース１０４であることができる。別個の認証サーバ１０３が採用される場合、このサーバも、本明細書で説明する様々な実施形態の認証サービスを与えるためのソフトウェアを有して構成されたプロセッサ１１５と、認証データベース１０６とを含むだろう。
【手続補正６】
【補正対象書類名】明細書
【補正対象項目名】００３５
【補正方法】変更
【補正の内容】
【００３５】
プロセッサ１１３が、新規ユーザがＶＳＩＭサーバ１０２と交信したと判断した場合、プロセッサ１１３は、ＶＳＩＭデータベース１０４中に新規ユーザアカウントファイルを作成するために、上記の新規アカウント作成手順を実行する。認証証明を入力するようにユーザに促すために、プロセッサ１１３は、ディスプレイ１１１上にユーザインターフェースを提示するように、セルラー電話ネットワークを介してモバイルハンドセットに命令を送信することができる。あるいは、プロセッサ１１３は、ディスプレイ１１１上に提示してユーザに認証証明を入力するように要求するための画像を生成することができる。ユーザは、ディスプレイ１１１に応答して英数字キーパッド１０９を介して、生体センサ１１０によって、または両方の組合せによって、認証証明を入力することができる。認証データベース１０６に記憶するために、認証証明はＶＳＩＭサーバ１０２に返信される（ステップ２５６）。初期設定手順が完了した後、新規ユーザは、図３を参照しながら上述したステップ２６０およびステップ２６１を実行することによって、モバイルハンドセット内部メモリ１０５に記憶された個人データをバックアップするための、ＶＳＩＭサーバ１０２へのアクセスが許可される。
【手続補正７】
【補正対象書類名】明細書
【補正対象項目名】００３７
【補正方法】変更
【補正の内容】
【００３７】
認証証明が証明されなかった（ステップ２６３）場合、ユーザは、ＶＳＩＭサーバ１０２およびＶＳＩＭデータベース１０４へのアクセスを拒否される。成功しなかった認証試みの回数を記録するために認証サーバプロセッサ１１３（またはＶＳＩＭプロセッサ１１２）はプロセッサＲＡＭ１１４に記憶されたカウンタの開始をセットすることができる（ステップ２６４）。カウンタが開始された後、成功しなかった試みの回数が多すぎるかどうかを判断するために、プロセッサ１１３（１１２）はカウンタ値を予め設定されたしきい値数と比較することができる。成功しなかった試みの回数が多すぎた場合、プロセッサはステップ２６９のようにユーザをログオフすることができる。ユーザが行った成功しなかった試みの回数が多すぎなかった場合、ステップ２６２のように、ユーザは、再び認証証明を入力するように促されることができる。代替実施形態では、ユーザは、成功しなかった試みの回数を無制限に許されることができる。
【手続補正８】
【補正対象書類名】明細書
【補正対象項目名】００５２
【補正方法】変更
【補正の内容】
【００５２】
図８を参照すると、ＶＳＩＭプロセッサ１１３が、ユーザは新規である（すなわち、ＶＳＩＭサービスプロバイダとのアカウントを有しない）と判断した場合、ユーザは、新規アカウントを作成し（ステップ２５４）、認証証明を入力する（ステップ２５５）ように促され、認証証明が認証データベース１０６に記憶される（ステップ２５６）。認証証明が認証データベース１０６に記憶されると、ＶＳＩＭプロセッサ１１３は、ユーザがサービス契約を実行する相手としてどのサービスプロバイダを選ぶかを選択するようにユーザに促す（ステップ２５７）。ＶＳＩＭプロセッサ１１３は、ハンドヘルドのディスプレイ１１１上に表示され、利用可能なサービスプロバイダ、および随意に、そこから選択するサービスプランおよび電話番号をユーザに通知する、データまたは画像を送信することができる。この情報は、異なるＯＰＣ１４０、１４１によって与えられた情報に基づいて電話番号データベース１２６からアクセスされる。ディスプレイ１１１上に提示されたメニューオプションに応答して新たなハンドヘルドデバイスで選択することなどによって、ユーザが特定のサービスプロバイダとのサービス契約を実行することを決めたとき、選択された利用可能な電話番号、およびサービスプロバイダのその関連するプロビジョニング情報を含んでいるファイルが、ＶＳＩＭプロセッサ１１３によって、電話番号データベース１２６から引き出される（ステップ２５８）。あるいは、ＶＳＩＭサーバ１０２は、選択されたサービスプロバイダのＯＰＣ１４０または１４１にアクセスし、プロビジョニング情報のダウンロードを要求することができる。次いで、ＶＳＩＭサーバ１０２は、上記の復元手順を開始することなどによって、プロビジョニング情報をモバイルハンドセットに送信する（ステップ２５９）。
【手続補正９】
【補正対象書類名】特許請求の範囲
【補正対象項目名】請求項１０４
【補正方法】変更
【補正の内容】
【請求項１０４】
セルラー電話プロセッサで実行可能なソフトウェア命令を記憶したコンピュータ可読メモリであって、前記ソフトウェア命令は、前記プロセッサに、
認証証明をセルラー電話ネットワークを介して外部サーバに送信するステップと、
前記セルラー電話ネットワークを介してプロビジョニング情報を受信するステップと、
前記受信したプロビジョニング情報を内部メモリユニットに記憶するステップと、
前記セルラー電話ネットワークから電話をかけるおよび電話を受けるために、前記メモリユニットに記憶された前記プロビジョニングデータを使用するステップと、
を実行させるように構成される、コンピュータ可読媒体。
【手続補正１０】
【補正対象書類名】図面
【補正対象項目名】図４
【補正方法】変更
【補正の内容】
【図４】
2011509575.tif 000013
【国際調査報告】
2011509575.tif 000014
2011509575.tif 000015
2011509575.tif 000016